(57)【要約】【課題】  ＣＡＶ記録でテスト記録の時間を短縮し、スピンドルモーターを低コスト化する。【解決手段】  ＣＡＶ記録方式の媒体において中間線速度のテスト記録領域２４を、情報記録時の媒体の回転速度以下となる半径位置に設け、最低線速度のテスト記録領域２２および最高線速度のテスト記録領域２３を、情報記録時の媒体の回転速度と同等となる半径位置に設けてテスト記録する。【選択図】  図２
2005100534.tif 000002
【特許請求の範囲】
【請求項１】
光学的情報記録媒体を回転させ、少なくとも異なる２種類の線速度で前記光学的情報記録媒体に情報信号を記録し、記録する前記線速度の変化に応じてチャネルクロック周期を変化させ、線密度を略一定として前記情報信号を記録し、
前記情報信号を記録する前にテスト記録を行う光学的情報記録方法であって、
少なくとも１種類の前記線速度で前記テスト記録を行い、
前記テスト記録時の前記光学的情報記録媒体の回転速度は、前記光学的情報記録媒体に情報信号を記録する時の最大回転速度以下にすることを特徴とする
光学的情報記録方法。
【請求項２】
光学的情報記録媒体を等回転速度ｓ０で回転させ、記録する線速度の変化に応じてチャネルクロック周期を変化させ、線密度を略一定として情報信号を記録し、
前記情報信号を記録する前にテスト記録を行う光学的情報記録方法であって、
前記光学的情報記録媒体はデータ領域を具備し、
データ領域の最内周における線速度をｖ１、最外周における線速度をｖ２としたときに、
ｖ１＜ｖ＜ｖ２なる少なくとも１種類の線速度ｖで前記テスト記録を行い、
前記テスト記録時の前記光学的情報記録媒体の回転速度ｓはｓ０以下にすることを特徴とする
光学的情報記録方法。
【請求項３】
前記テスト記録は、前記データ領域の最外周近傍で行うことを特徴とする
請求項２に記載の光学的情報記録方法。
【請求項４】
線速度ｖに加えて、線速度ｖ１および／または線速度ｖ２でテスト記録を行うことを特徴とする
請求項２または３のいずれかに記載の光学的情報記録方法。
【請求項５】
光学的情報記録媒体を等回転速度ｓ０で回転させ、記録する線速度の変化に応じてチャネルクロック周期を変化させ、線密度を略一定として情報信号を記録し、
前記情報信号を記録する前にテスト記録を行う光学的情報記録方法であって、
前記光学的情報記録媒体はデータ領域を具備し、
前記光学的情報記録媒体のデータ領域を所定の数のトラックで構成される複数のゾーンに分割し、内周のゾーンから外周のゾーンになるに従って１周あたりのセクタ数を増加させ、同一ゾーン内では１周あたりの線密度を等しくし、
最内周ゾーンにおける線速度をｖ１、最外周における線速度をｖ２としたときに、
ｖ１＜ｖ＜ｖ２なる少なくとも１種類の線速度ｖで前記テスト記録を行い、
前記テスト記録時の前記光学的情報記録媒体の回転速度ｓはｓ０以下にすることを特徴とする
光学的情報記録方法。
【請求項６】
前記テスト記録は、前記データ領域の最外周ゾーン近傍で行うことを特徴とする
請求項５に記載の光学的情報記録方法。
【請求項７】
線速度ｖに加えて、線速度ｖ１および／または線速度ｖ２でテスト記録を行うことを特徴とする
請求項５または６のいずれかに記載の光学的情報記録方法。
【請求項８】
光学的情報記録媒体を回転させ、少なくとも異なる２種類の線速度で前記光学的情報記録媒体に情報信号を記録し、記録する前記線速度の変化に応じてチャネルクロック周期を変化させ、線密度を略一定として前記情報信号を記録し、
前記情報信号を記録する前にテスト記録を行う光学的情報記録装置であって、
光学的情報記録媒体の回転速度を制御する回転制御手段と、
テスト信号を前記光学的情報記録媒体に記録して記録条件を決定するテスト記録手段と、
情報信号を前記光学的情報記録媒体に記録する情報記録手段とを具備し、
前記テスト記録手段は少なくとも１種類の前記線速度で前記テスト記録を行い、
前記テスト記録時に、前記回転制御手段は、前記光学的情報記録媒体の回転速度を、前記光学的情報記録媒体に情報信号を記録する時の最大回転速度以下にするよう制御することを特徴とする
光学的情報記録装置。
【請求項９】
光学的情報記録媒体を等回転速度ｓ０で回転させ、記録する線速度の変化に応じてチャネルクロック周期を変化させ、線密度を略一定として情報信号を記録し、
前記情報信号を記録する前にテスト記録を行う光学的情報記録装置であって、
光学的情報記録媒体の回転速度を制御する回転制御手段と、
テスト信号を前記光学的情報記録媒体に記録して記録条件を決定するテスト記録手段と、  情報信号を前記光学的情報記録媒体に記録する情報記録手段とを具備し、
前記光学的情報記録媒体はデータ領域を具備し、
データ領域の最内周における線速度をｖ１、最外周における線速度をｖ２としたときに、
前記テスト記録手段はｖ１＜ｖ＜ｖ２なる少なくとも１種類の線速度ｖで前記テスト記録を行い、
前記テスト記録時に、前記回転制御手段は、前記光学的情報記録媒体の回転速度ｓをｓ０以下にすることを特徴とする
光学的情報記録装置。
【請求項１０】
前記テスト記録手段は、前記テスト記録を前記データ領域の最外周近傍で行うことを特徴とする
請求項９に記載の光学的情報記録装置。
【請求項１１】
前記テスト記録手段は、線速度ｖに加えて、線速度ｖ１および／または線速度ｖ２でテスト記録を行うことを特徴とする
請求項９または１０のいずれかに記載の光学的情報記録装置。
【請求項１２】
光学的情報記録媒体を等回転速度ｓ０で回転させ、記録する線速度の変化に応じてチャネルクロック周期を変化させ、線密度を略一定として情報信号を記録し、
前記情報信号を記録する前にテスト記録を行う光学的情報記録装置であって、
光学的情報記録媒体の回転速度を制御する回転制御手段と、
テスト信号を前記光学的情報記録媒体に記録して記録条件を決定するテスト記録手段と、情報信号を前記光学的情報記録媒体に記録する情報記録手段とを具備し、
前記光学的情報記録媒体はデータ領域を具備し、
前記光学的情報記録媒体のデータ領域を所定の数のトラックで構成される複数のゾーンに分割し、内周のゾーンから外周のゾーンになるに従って１周あたりのセクタ数を増加させ、同一ゾーン内では１周あたりの線密度を等しくし、
最内周ゾーンにおける線速度をｖ１、最外周における線速度をｖ２としたときに、
前記テスト記録手段はｖ１＜ｖ＜ｖ２なる少なくとも１種類の線速度ｖで前記テスト記録を行い、
前記回転制御手段は、前記テスト記録時の前記光学的情報記録媒体の回転速度ｓをｓ０以下にすることを特徴とする
光学的情報記録装置。
【請求項１３】
前記テスト記録手段は、前記テスト記録を前記データ領域の最外周近傍で行うことを特徴とする
請求項１２に記載の光学的情報記録装置。
【請求項１４】
前記テスト記録手段は、線速度ｖに加えて、線速度ｖ１および／または線速度ｖ２でテスト記録を行うことを特徴とする
請求項１２または１３のいずれかに記載の光学的情報記録装置。
【請求項１５】
光学的情報記録媒体を回転させた時に、少なくとも異なる２種類の線速度で前記光学的情報記録媒体に情報信号を記録し、記録する前記線速度の変化に応じてチャネルクロック周期を変化させ、線密度を略一定として前記情報信号を記録し、
前記情報信号を記録する前にテスト記録を行う光学的情報記録媒体であって、
少なくとも１種類の前記線速度で前記テスト記録を行い、
前記テスト記録を行う領域を、前記テスト記録時の前記光学的情報記録媒体の回転速度が前記光学的情報記録媒体に情報信号を記録する時の最大回転速度以下になる半径位置に設けることを特徴とする
光学的情報記録媒体。
【請求項１６】
光学的情報記録媒体を等回転速度ｓ０で回転させた時に、記録する線速度の変化に応じてチャネルクロック周期を変化させ、線密度を略一定として情報信号を記録し、
前記情報信号を記録する前にテスト記録を行う光学的情報記録媒体であって、
前記光学的情報記録媒体はデータ領域を具備し、
データ領域の最内周における線速度をｖ１、最外周における線速度をｖ２としたときに、
ｖ１＜ｖ＜ｖ２なる少なくとも１種類の線速度ｖで前記テスト記録を行い、
前記テスト記録を行う領域を、前記テスト記録時の前記光学的情報記録媒体の回転速度ｓが前記等回転速度ｓ０以下になる半径位置に設けることを特徴とする
光学的情報記録媒体。
【請求項１７】
前記テスト記録を行う領域を、前記データ領域の最外周近傍に設けることを特徴とする
請求項１６に記載の光学的情報記録媒体。
【請求項１８】
線速度ｖに加えて、線速度ｖ２でテスト記録を行い、線速度ｖ２でテスト記録を行う領域を、前記データ領域の最外周近傍に設けることを特徴とする
請求項１７に記載の光学的情報記録媒体。
【請求項１９】
光学的情報記録媒体を等回転速度ｓ０で回転させた時に、記録する線速度の変化に応じてチャネルクロック周期を変化させ、線密度を略一定として情報信号を記録し、
前記情報信号を記録する前にテスト記録を行う光学的情報記録媒体であって、
前記光学的情報記録媒体はデータ領域を具備し、
前記光学的情報記録媒体のデータ領域を所定の数のトラックで構成される複数のゾーンに分割し、内周のゾーンから外周のゾーンになるに従って１周あたりのセクタ数を増加させ、同一ゾーン内では１周あたりの線密度を等しくし、
最内周ゾーンにおける線速度をｖ１、最外周における線速度をｖ２としたときに、
ｖ１＜ｖ＜ｖ２なる少なくとも１種類の線速度ｖで前記テスト記録を行い、
前記テスト記録を行う領域を、前記テスト記録時の前記光学的情報記録媒体の回転速度ｓが前記等回転速度ｓ０以下になる半径位置に設けることを特徴とする
光学的情報記録媒体。
【請求項２０】
前記テスト記録を行う領域を、前記データ領域の最外周近傍に設けることを特徴とする
請求項１９に記載の光学的情報記録媒体。
【請求項２１】
線速度ｖに加えて、線速度ｖ２でテスト記録を行い、線速度ｖ２でテスト記録を行う領域を、前記データ領域の最外周近傍に設けることを特徴とする
請求項２０に記載の光学的情報記録媒体。
【請求項２２】
光学的情報記録媒体を回転させ、少なくとも異なる２種類の線速度で前記光学的情報記録媒体に情報信号を記録し、記録する前記線速度の変化に応じてチャネルクロック周期を変化させ、線密度を略一定として前記情報信号を記録し、
前記情報信号を記録する前にテスト記録を行う光学的情報記録方法であって、
情報信号を記録する最小の線速度をｖ１、最大の線速度をｖ２としたときに、
少なくともｖ１およびｖ２の線速度で前記テスト記録を行い、
それぞれの前記テスト記録時の前記光学的情報記録媒体の回転速度を、略等しくすることを特徴とする
光学的情報記録方法。
【請求項２３】
光学的情報記録媒体を等回転速度ｓ０で回転させ、記録する線速度の変化に応じてチャネルクロック周期を変化させ、線密度を略一定として情報信号を記録し、
前記情報信号を記録する前にテスト記録を行う光学的情報記録方法であって、
前記光学的情報記録媒体はデータ領域を具備し、
データ領域の最内周における線速度をｖ１、最外周における線速度をｖ２としたときに、
少なくともｖ１およびｖ２の線速度で前記テスト記録を行い、
それぞれの前記テスト記録時の前記光学的情報記録媒体の回転速度を、ｓ０と略等しくすることを特徴とする
光学的情報記録方法。
【請求項２４】
光学的情報記録媒体を等回転速度ｓ０で回転させ、記録する線速度の変化に応じてチャネルクロック周期を変化させ、線密度を略一定として情報信号を記録し、
前記情報信号を記録する前にテスト記録を行う光学的情報記録方法であって、
前記光学的情報記録媒体はデータ領域を具備し、
前記光学的情報記録媒体のデータ領域を所定の数のトラックで構成される複数のゾーンに分割し、内周のゾーンから外周のゾーンになるに従って１周あたりのセクタ数を増加させ、同一ゾーン内では１周あたりの線密度を等しくし、
最内周ゾーンにおける線速度をｖ１、最外周における線速度をｖ２としたときに、
少なくともｖ１およびｖ２の線速度で前記テスト記録を行い、
それぞれの前記テスト記録時の前記光学的情報記録媒体の回転速度を、ｓ０と略等しくすることを特徴とする
光学的情報記録方法。
【請求項２５】
光学的情報記録媒体を回転させ、少なくとも異なる２種類の線速度で前記光学的情報記録媒体に情報信号を記録し、記録する前記線速度の変化に応じてチャネルクロック周期を変化させ、線密度を略一定として前記情報信号を記録し、
前記情報信号を記録する前にテスト記録を行う光学的情報記録装置であって、
光学的情報記録媒体の回転速度を制御する回転制御手段と、
テスト信号を前記光学的情報記録媒体に記録して記録条件を決定するテスト記録手段と、情報信号を前記光学的情報記録媒体に記録する情報記録手段とを具備し、
情報信号を記録する最小の線速度をｖ１、最大の線速度をｖ２としたときに、
前記テスト記録手段は少なくともｖ１およびｖ２の線速度で前記テスト記録を行い、
前記回転制御手段は、それぞれの前記テスト記録時の前記光学的情報記録媒体の回転速度を、略等しくすることを特徴とする
光学的情報記録装置。
【請求項２６】
光学的情報記録媒体を等回転速度ｓ０で回転させ、記録する線速度の変化に応じてチャネルクロック周期を変化させ、線密度を略一定として情報信号を記録し、
前記情報信号を記録する前にテスト記録を行う光学的情報記録装置であって、
光学的情報記録媒体の回転速度を制御する回転制御手段と、
テスト信号を前記光学的情報記録媒体に記録して記録条件を決定するテスト記録手段と、
情報信号を前記光学的情報記録媒体に記録する情報記録手段とを具備し、
前記光学的情報記録媒体はデータ領域を具備し、
データ領域の最内周における線速度をｖ１、最外周における線速度をｖ２としたときに、
前記テスト記録手段は少なくともｖ１およびｖ２の線速度で前記テスト記録を行い、
前記回転制御手段は、それぞれの前記テスト記録時の前記光学的情報記録媒体の回転速度を、ｓ０と略等しくすることを特徴とする
光学的情報記録装置。
【請求項２７】
光学的情報記録媒体を等回転速度ｓ０で回転させ、記録する線速度の変化に応じてチャネルクロック周期を変化させ、線密度を略一定として情報信号を記録し、
前記情報信号を記録する前にテスト記録を行う光学的情報記録方法であって、
光学的情報記録媒体の回転速度を制御する回転制御手段と、
テスト信号を前記光学的情報記録媒体に記録して記録条件を決定するテスト記録手段と、情報信号を前記光学的情報記録媒体に記録する情報記録手段とを具備し、
前記光学的情報記録媒体はデータ領域を具備し、
前記光学的情報記録媒体のデータ領域を所定の数のトラックで構成される複数のゾーンに分割し、内周のゾーンから外周のゾーンになるに従って１周あたりのセクタ数を増加させ、同一ゾーン内では１周あたりの線密度を等しくし、
最内周ゾーンにおける線速度をｖ１、最外周における線速度をｖ２としたときに、
前記テスト記録手段は少なくともｖ１およびｖ２の線速度で前記テスト記録を行い、
前記回転制御手段は、それぞれの前記テスト記録時の前記光学的情報記録媒体の回転速度を、ｓ０と略等しくすることを特徴とする
光学的情報記録装置。
【請求項２８】
光学的情報記録媒体を回転させた時に、少なくとも異なる２種類の線速度で前記光学的情報記録媒体に情報信号を記録し、記録する前記線速度の変化に応じてチャネルクロック周期を変化させ、線密度を略一定として前記情報信号を記録し、
前記情報信号を記録する前にテスト記録を行う光学的情報記録媒体であって、
情報信号を記録する最小の線速度をｖ１、最大の線速度をｖ２としたときに、
少なくともｖ１およびｖ２の線速度で前記テスト記録を行い、
それぞれの前記テスト記録を行う領域を、前記光学的情報記録媒体の回転速度が略等しくなる半径位置に設けることを特徴とする
光学的情報記録媒体。
【請求項２９】
光学的情報記録媒体を等回転速度ｓ０で回転させた時に、記録する線速度の変化に応じてチャネルクロック周期を変化させ、線密度を略一定として情報信号を記録し、
前記情報信号を記録する前にテスト記録を行う光学的情報記録媒体であって、
前記光学的情報記録媒体はデータ領域を具備し、
データ領域の最内周における線速度をｖ１、最外周における線速度をｖ２としたときに、
少なくともｖ１およびｖ２の線速度で前記テスト記録を行い、
それぞれの前記テスト記録を行う領域を、前記テスト記録時の前記光学的情報記録媒体の回転速度がｓ０と略等しくなる半径位置に設けることを特徴とする
光学的情報記録媒体。
【請求項３０】
光学的情報記録媒体を等回転速度ｓ０で回転させた時に、記録する線速度の変化に応じてチャネルクロック周期を変化させ、線密度を略一定として情報信号を記録し、
前記情報信号を記録する前にテスト記録を行う光学的情報記録媒体であって、
前記光学的情報記録媒体はデータ領域を具備し、
前記光学的情報記録媒体のデータ領域を所定の数のトラックで構成される複数のゾーンに分割し、内周のゾーンから外周のゾーンになるに従って１周あたりのセクタ数を増加させ、同一ゾーン内では１周あたりの線密度を等しくし、
最内周ゾーンにおける線速度をｖ１、最外周における線速度をｖ２としたときに、
少なくともｖ１およびｖ２の線速度で前記テスト記録を行い、
それぞれの前記テスト記録を行う領域を、前記テスト記録時の前記光学的情報記録媒体の回転速度がｓ０と略等しくなる半径位置に設けることを特徴とする
光学的情報記録媒体。
【請求項３１】
前記テスト記録によって、前記情報信号を記録する時のレーザパワーを決定することを特徴とする
請求項１〜７、２２〜２４の光学的情報記録方法。
【請求項３２】
前記テスト記録によって、前記情報信号を記録する時の記録パルス波形を決定することを特徴とする
請求項１〜７、２２〜２４の光学的情報記録方法。
【請求項３３】
等線速度でも情報信号を記録することを特徴とする
請求項１５〜２１、２８〜３０の光学的情報記録媒体。
【請求項３４】
光学的情報記録媒体を等回転速度ｓ０で回転させ、記録する線速度の変化に応じてチャネルクロック周期を変化させ、線密度を略一定として情報信号を記録する光学的情報記録方法であって、
前記光学的情報記録媒体はらせん状のトラックを有し、
前記光学的情報記録媒体を所定の回転方向で回転させると内周から外周方向へレーザスポットが移動する場合に、
前記光学的情報記録媒体への情報信号の記録は外周から内周方向に行うことを特徴とする
光学的情報記録方法。
【請求項３５】
記録時には、前記光学的情報記録媒体が１回転するごとに１回、外周から内周方向へトラックジャンプすることを特徴とする
請求項３４に記載の光学的情報記録方法。
【請求項３６】
光学的情報記録媒体を等回転速度ｓ０で回転させ、記録する線速度の変化に応じてチャネルクロック周期を変化させ、線密度を略一定として情報信号を記録し、
前記情報信号を記録する前にテスト記録を行う光学的情報記録方法であって、
前記光学的情報記録媒体はデータ領域を具備し、
前記光学的情報記録媒体のデータ領域を所定の数のトラックで構成される複数のゾーンに分割し、内周のゾーンから外周のゾーンになるに従って１周あたりのセクタ数を増加させ、同一ゾーン内では１周あたりの線密度を等しくし、
前記光学的情報記録媒体はらせん状のトラックを有し、
前記光学的情報記録媒体を所定の回転方向で回転させると内周から外周方向へレーザスポットが移動する場合に、
前記光学的情報記録媒体への情報信号の記録は外周ゾーンから内周ゾーンの方向へ行うことを特徴とする
光学的情報記録方法。
【請求項３７】
記録時には、前記光学的情報記録媒体が１回転するごとに１回、外周から内周方向へトラックジャンプすることを特徴とする
請求項３６に記載の光学的情報記録方法。
【請求項３８】
前記ゾーン内では内周から外周方向へ記録することを特徴とする
請求項３６に記載の光学的情報記録方法。
【発明の詳細な説明】
【技術分野】
【０００１】
本発明は、光学的に情報を記録・再生する光学的情報記録媒体、記録再生方法および記録再生装置に関するもので、特に等回転速度で光学的情報記録媒体に記録する方法に関連するものである。
【背景技術】
【０００２】
近年、光学的に情報を記録する媒体として、光ディスク、光カード、光テープなどが提案・開発されている。その中でも光ディスクは、大容量かつ高密度に情報を記録・再生できる媒体として注目されている。
【０００３】
例えば相変化型光ディスクの場合、以下に述べる方法でデータの記録再生が行われている。光ヘッドにより集束させた、再生パワーより強いレーザ光（このパワーレベルを記録パワーという）を光ディスクの記録膜に照射して記録膜の温度を融点を越えて上昇させると、レーザ光の通過とともに溶融部分は急速に冷却されて非晶質（アモルファス）状態のマークが形成される。また、記録膜の温度を結晶化温度以上融点以下の温度まで上昇させる程度のレーザ光（このパワーレベルを消去パワーという）を集束して照射すると、照射部の記録膜は結晶状態になる。
【０００４】
このようにして、媒体にはデータ信号に対応した非晶質領域であるマークと結晶領域であるスペースとからなる記録パターンが形成される。そして結晶と非晶質との反射率の相違を利用して、データの再生が行われる。
【０００５】
上で述べたように、媒体にマークを形成するためには、レーザ光のパワーレベルを少なくとも消去パワーと記録パワーとの間で変調して発光させることが必要である。この変調動作に用いるパルス波形を記録パルスと呼ぶ。
【０００６】
DVD（Digital Versatile Disk）に代表される光ディスクでは、これまで主としてCLV（等線速度）記録方式が用いられてきた。これは、媒体全面にわたって線速度・転送レート・線密度をほぼ同じにして記録する方式である。この場合、媒体の回転速度は、媒体中の記録再生位置（すなわち半径位置）によって変化する。
【０００７】
また、CLV記録方式よりも記録再生装置のスピンドルモーターの回転制御を容易にする方法として、Ｚ−ＣＬＶ（Zoned Constant Linear Velocity）記録方式が提案されている。Ｚ−ＣＬＶ記録方式の光ディスクは、記録領域を所定の数のトラックで構成されるゾーンに分割し、内周のゾーンから外周のゾーンにいくに従って１周あたりのセクタ数を増加させたフォーマットになっている。そしてＺ−ＣＬＶフォーマットのディスクを記録再生する装置は、ディスクの内周から外周にいくに従って段階的にディスクの回転数を低下させ（ここで、各ゾーンでの回転数は一定とする）、ディスク全周にわたって線速度が一定に近くなるようにして記録再生する。Ｚ−ＣＬＶフォーマットについては、例えば非特許文献１にＭ−ＣＬＶ(Modified Constant Linear Velocity)フォーマットの呼称で記載されている。
【０００８】
さらに、媒体の回転速度と線密度を媒体全面にわたってほぼ一定とする、CAV（等角速度または等回転速度）記録方式が提案されている。CAV記録方式では、媒体を回転させるスピンドルモータの回転変速制御が不要なため、スピンドルモータおよびその制御回路を低コストで作製できる利点がある。また、記録再生位置のシーク動作後、所定の回転速度になるまで記録再生動作を待つ必要がないので、媒体に対するアクセス速度を短くすることが可能である。
【０００９】
ところで、光ディスクは交換可能な記録媒体であるので、光ディスクの記録再生装置は異なる複数の媒体に対して安定に記録再生する必要がある。しかし、同一の条件で製造された光ディスクでも、製造時のばらつきや経時変化により最適なパワーレベルは異なる。また、光ディスクの基板表面の汚れや、記録再生装置の光学系の伝送効率の低下、動作状態の変動により、光ディスクの記録膜に到達するレーザ光のパワーが変動することもあり得る。
【００１０】
こうした記録条件の変動に対処するために、ディスクに実際の情報信号を記録する前にテスト記録を行って記録条件を求めている。テスト記録では、ある特定のテストパターンをディスクのテスト記録領域に記録し、再生した信号の特性から、最適な記録パワーや記録パルスの形状を求めるのが一般的である。そしてディスク上には、テスト記録のための領域（これをテスト記録領域と呼ぶ）を、ユーザーが情報信号を記録する領域（これをデータ領域と呼ぶ）とは別に設けることが多い。
【００１１】
しかし、上記のCAV記録方式では、媒体中の半径位置によって線速度と転送レートが連続的に変化する。したがって、記録再生位置によって、媒体において所定の記録マークを形成するための記録条件（すなわち、レーザ光の照射条件や加熱・冷却条件）が変化することになる。
【００１２】
例えば線速度の速い半径位置では、ディスクの単位面積当たりに照射されるレーザ光の熱量が少なくなる。そのため、線速度の遅い半径位置で記録するときよりも高いレーザパワーが必要となる。
【００１３】
逆に、線速度の遅い半径位置ではディスクから見たレーザビームスポットの移動速度が遅くなるために、ディスクの記録膜の冷却速度が遅くなって過剰に結晶化が進行し、記録マークが形成されにくくなる。そのため、線速度の速い半径位置で記録するときよりも記録パルスのデューティ比を小さくしたりする。
【００１４】
CAV記録方式において、微少な線速度変化ごとにテスト記録を繰り返して記録条件を求めるのは、テスト記録に要する時間がかかりすぎることから見て現実的ではない。
【００１５】
そのため、テスト記録領域で少なくとも２つの線速度における記録パワーを求め、それ以外の線速度での記録パワーは先に求めた記録パワーからの内挿または外挿処理することで求める方法が提案されている（例えば特許文献１参照）。また、記録線速度に応じて記録パワーと消去パワーの比または各記録パルスの幅を所定の間隔で変化させる方法が開示されている（例えば特許文献２参照）。
【特許文献１】特開平5-225570公報（第３−５頁、第６図）
【特許文献２】特開2001-118245公報（第５−７頁、第１図）
【非特許文献１】ラジオ技術社「光ディスク技術」（第２２３頁）
【発明の開示】
【発明が解決しようとする課題】
【００１６】
しかしながら、上記従来の記録再生方法では、テスト記録の際にスピンドルモーターの回転速度を、実際に情報を記録再生するときの回転速度よりも高くしなければならないため、性能の高いスピンドルモーターを使わなければならず、コストが増大するという課題を有していた。以下、その課題について説明する。
【００１７】
例えば上記の特許文献１は、データ領域よりも内周側にテスト記録領域を設けて複数の線速度に対するテスト記録を行うものであるが、CAV記録方式では内周側より外周側の線速度のほうが速い。そのため外周に相当する線速度のテスト記録を内周側のテスト記録領域で行うときには、半径位置の比だけスピンドルモーターの回転速度を高くする必要がある。
【００１８】
したがって、実際の情報信号を記録する時に用いている回転速度よりも速く回転できる性能のあるスピンドルモーターを使わなければならず、結果的に記録再生装置の高コスト化を招いていた。さらに、複数の線速度でテスト記録するときには、線速度に応じてスピンドルモーターを変速しなければならず、変速に要する時間だけテスト記録時間も長くなる課題もあった。
【００１９】
また、上記従来のCAV記録方式では、ディスクに内周から外周方向へらせん状にトラックが形成されている場合に、ディスク使用初期に情報信号記録時の転送レートが遅くなるという問題もあった。これはCAV記録方式ではディスク面内の記録線密度はほぼ一定にするので、外周側の方が転送レートが高くなるためである。ユーザーは必ずディスク１枚の記録容量を使い切るとは限らないことを考慮すると、最内周から記録再生を開始するのはデータ転送レートの点で不利であった。
【００２０】
本発明は上記従来の課題を解決するもので、複数の線速度に対するテスト記録において、スピンドルモーターの低コスト化を図ることができ、同時にテスト記録に要する時間を短縮することでユーザーが短時間で情報信号の記録を開始できる光学的情報記録方法、光学的情報記録装置および光学的情報記録媒体を提供することを目的とする。
【００２１】
また本発明は上記従来の課題を解決するもので、ディスク使用当初の情報信号記録時の転送レートを高くできる光学的情報記録方法を提供することを目的とする。
【課題を解決するための手段】
【００２２】
前記目的を達成するため、本発明に係る第１の光学的情報記録方法は、
光学的情報記録媒体を回転させ、少なくとも異なる２種類の線速度で光学的情報記録媒体に情報信号を記録し、記録する線速度の変化に応じてチャネルクロック周期を変化させ、線密度を略一定として情報信号を記録し、
情報信号を記録する前にテスト記録を行う光学的情報記録方法であって、
少なくとも１種類の線速度でテスト記録を行い、
テスト記録時の光学的情報記録媒体の回転速度は、光学的情報記録媒体に情報信号を記録する時の最大回転速度以下にすることを特徴とする。
【００２３】
この方法によれば、テスト記録のときに情報を記録するときよりもスピンドルモーターの回転数を高くする必要がないので、従来と比べて低コストのモーターを用いることができ、情報記録装置を低コスト化することが可能となる。
【００２４】
また、本発明に係る第１の光学的情報記録方法については、
光学的情報記録媒体を等回転速度ｓ０で回転させ、記録する線速度の変化に応じてチャネルクロック周期を変化させ、線密度を略一定として情報信号を記録し、
情報信号を記録する前にテスト記録を行う光学的情報記録方法であって、
光学的情報記録媒体はデータ領域を具備し、
データ領域の最内周における線速度をｖ１、最外周における線速度をｖ２としたときに、
ｖ１＜ｖ＜ｖ２なる少なくとも１種類の線速度ｖでテスト記録を行い、
テスト記録時の光学的情報記録媒体の回転速度ｓはｓ０以下にするものであってもよい。
【００２５】
この方法によれば、ＣＡＶ記録方式の媒体であっても、テスト記録のときに情報を記録するときよりもスピンドルモーターの回転数を高くする必要がないので、従来と比べて低コストのモーターを用いることができ、情報記録装置を低コスト化することが可能となる。
【００２６】
また、本発明に係る第１の光学的情報記録方法については、
光学的情報記録媒体を等回転速度ｓ０で回転させ、記録する線速度の変化に応じてチャネルクロック周期を変化させ、線密度を略一定として情報信号を記録し、
情報信号を記録する前にテスト記録を行う光学的情報記録方法であって、
光学的情報記録媒体はデータ領域を具備し、
光学的情報記録媒体のデータ領域を所定の数のトラックで構成される複数のゾーンに分割し、内周のゾーンから外周のゾーンになるに従って１周あたりのセクタ数を増加させ、同一ゾーン内では１周あたりの線密度を等しくし、
最内周ゾーンにおける線速度をｖ１、最外周における線速度をｖ２としたときに、
ｖ１＜ｖ＜ｖ２なる少なくとも１種類の線速度ｖでテスト記録を行い、
テスト記録時の光学的情報記録媒体の回転速度ｓはｓ０以下にするものであってもよい。
【００２７】
この方法によれば、Ｚ−ＣＬＶフォーマットの媒体であっても、テスト記録のときに情報を記録するときよりもスピンドルモーターの回転数を高くする必要がないので、従来と比べて低コストのモーターを用いることができ、情報記録装置を低コスト化することが可能となる。
【００２８】
なお、本発明に係る第１の光学的情報記録方法については、前記テスト記録は前記データ領域の最外周近傍で行うことが、媒体のデータ領域を途中で分断しない点からより好ましい。
【００２９】
また、本発明に係る第１の光学的情報記録方法については、線速度ｖに加えて、線速度ｖ１および／または線速度ｖ２でテスト記録を行うことが、各線速度における記録条件の推定精度を高められる点からより好ましい。
【００３０】
また前記目的を達成するため、本発明に係る第１の光学的情報記録装置は、
光学的情報記録媒体を回転させ、少なくとも異なる２種類の線速度で光学的情報記録媒体に情報信号を記録し、記録する線速度の変化に応じてチャネルクロック周期を変化させ、線密度を略一定として情報信号を記録し、
前記情報信号を記録する前にテスト記録を行う光学的情報記録装置であって、
光学的情報記録媒体の回転速度を制御する回転制御手段と、
テスト信号を光学的情報記録媒体に記録して記録条件を決定するテスト記録手段と、
情報信号を光学的情報記録媒体に記録する情報記録手段とを具備し、
テスト記録手段は少なくとも１種類の線速度で前記テスト記録を行い、
テスト記録時に、回転制御手段は、光学的情報記録媒体の回転速度を、光学的情報記録媒体に情報信号を記録する時の最大回転速度以下にするよう制御することを特徴とする。
【００３１】
この装置によれば、テスト記録のときに情報を記録するときよりもスピンドルモーターの回転数を高くする必要がないので、従来と比べて低コストのモーターを用いることができ、情報記録装置を低コスト化することが可能となる。
【００３２】
また、本発明に係る第１の光学的情報記録装置については、
光学的情報記録媒体を等回転速度ｓ０で回転させ、記録する線速度の変化に応じてチャネルクロック周期を変化させ、線密度を略一定として情報信号を記録し、
情報信号を記録する前にテスト記録を行う光学的情報記録装置であって、
光学的情報記録媒体の回転速度を制御する回転制御手段と、
テスト信号を光学的情報記録媒体に記録して記録条件を決定するテスト記録手段と、
情報信号を光学的情報記録媒体に記録する情報記録手段とを具備し、
光学的情報記録媒体はデータ領域を具備し、
データ領域の最内周における線速度をｖ１、最外周における線速度をｖ２としたときに、
テスト記録手段はｖ１＜ｖ＜ｖ２なる少なくとも１種類の線速度ｖでテスト記録を行い、
テスト記録時に、回転制御手段は、光学的情報記録媒体の回転速度ｓをｓ０以下にするものであっても良い。
【００３３】
この装置によれば、ＣＡＶ記録方式の媒体であっても、テスト記録のときに情報を記録するときよりもスピンドルモーターの回転数を高くする必要がないので、従来と比べて低コストのモーターを用いることができ、情報記録装置を低コスト化することが可能となる。
【００３４】
また、本発明に係る第１の光学的情報記録装置については、
光学的情報記録媒体を等回転速度ｓ０で回転させ、記録する線速度の変化に応じてチャネルクロック周期を変化させ、線密度を略一定として情報信号を記録し、
情報信号を記録する前にテスト記録を行う光学的情報記録方法であって、
光学的情報記録媒体はデータ領域を具備し、
光学的情報記録媒体のデータ領域を所定の数のトラックで構成される複数のゾーンに分割し、内周のゾーンから外周のゾーンになるに従って１周あたりのセクタ数を増加させ、同一ゾーン内では１周あたりの線密度を等しくし、
最内周ゾーンにおける線速度をｖ１、最外周における線速度をｖ２としたときに、
ｖ１＜ｖ＜ｖ２なる少なくとも１種類の線速度ｖでテスト記録を行い、
テスト記録時の光学的情報記録媒体の回転速度ｓはｓ０以下にするものであってもよい。
【００３５】
この装置によれば、Ｚ−ＣＬＶフォーマットの媒体であっても、テスト記録のときに情報を記録するときよりもスピンドルモーターの回転数を高くする必要がないので、従来と比べて低コストのモーターを用いることができ、情報記録装置を低コスト化することが可能となる。
【００３６】
なお、本発明に係る第１の光学的情報記録装置については、テスト記録は前記データ領域の最外周近傍で行うことが、媒体のデータ領域を途中で分断しない点からより好ましい。
【００３７】
また、本発明に係る第１の光学的情報記録装置については、線速度ｖに加えて、線速度ｖ１および／または線速度ｖ２でテスト記録を行うことが、各線速度における記録条件の推定精度を高められる点からより好ましい。
【００３８】
また前記目的を達成するため、本発明に係る第１の光学的情報記録媒体は、
光学的情報記録媒体を回転させた時に、少なくとも異なる２種類の線速度で光学的情報記録媒体に情報信号を記録し、記録する線速度の変化に応じてチャネルクロック周期を変化させ、線密度を略一定として情報信号を記録し、
情報信号を記録する前にテスト記録を行う光学的情報記録媒体であって、
少なくとも１種類の線速度でテスト記録を行い、
テスト記録を行う領域を、テスト記録時の光学的情報記録媒体の回転速度が光学的情報記録媒体に情報信号を記録する時の最大回転速度以下になる半径位置に設けることを特徴とする。
【００３９】
この媒体によれば、テスト記録のときに情報を記録するときよりもスピンドルモーターの回転数を高くする必要がないので、従来と比べて低コストのモーターを用いることができ、情報記録装置を低コスト化することが可能となる。
【００４０】
また、本発明に係る第１の光学的情報記録媒体については、
光学的情報記録媒体を等回転速度ｓ０で回転させた時に、記録する線速度の変化に応じてチャネルクロック周期を変化させ、線密度を略一定として情報信号を記録し、
情報信号を記録する前にテスト記録を行う光学的情報記録媒体であって、
光学的情報記録媒体はデータ領域を具備し、
データ領域の最内周における線速度をｖ１、最外周における線速度をｖ２としたときに、
ｖ１＜ｖ＜ｖ２なる少なくとも１種類の線速度ｖでテスト記録を行い、
テスト記録を行う領域を、テスト記録時の光学的情報記録媒体の回転速度ｓが等回転速度ｓ０以下になる半径位置に設けても良い。
【００４１】
この媒体によれば、ＣＡＶ記録方式であっても、テスト記録のときに情報を記録するときよりもスピンドルモーターの回転数を高くする必要がないので、従来と比べて低コストのモーターを用いることができ、情報記録装置を低コスト化することが可能となる。
【００４２】
また、本発明に係る第１の光学的情報記録媒体については、
光学的情報記録媒体を等回転速度ｓ０で回転させた時に、記録する線速度の変化に応じてチャネルクロック周期を変化させ、線密度を略一定として情報信号を記録し、
情報信号を記録する前にテスト記録を行う光学的情報記録媒体であって、
光学的情報記録媒体はデータ領域を具備し、
光学的情報記録媒体のデータ領域を所定の数のトラックで構成される複数のゾーンに分割し、内周のゾーンから外周のゾーンになるに従って１周あたりのセクタ数を増加させ、同一ゾーン内では１周あたりの線密度を等しくし、
最内周ゾーンにおける線速度をｖ１、最外周における線速度をｖ２としたときに、
ｖ１＜ｖ＜ｖ２なる少なくとも１種類の線速度ｖでテスト記録を行い、
テスト記録を行う領域を、テスト記録時の光学的情報記録媒体の回転速度ｓが等回転速度ｓ０以下になる半径位置に設けても良い。
【００４３】
この媒体によれば、Ｚ−ＣＬＶフォーマットであっても、テスト記録のときに情報を記録するときよりもスピンドルモーターの回転数を高くする必要がないので、従来と比べて低コストのモーターを用いることができ、情報記録装置を低コスト化することが可能となる。
【００４４】
なお、本発明に係る第１の光学的情報記録媒体については、テスト記録を行う領域を、データ領域の最外周近傍に設けることが、媒体のデータ領域を途中で分断しない点からより好ましい。
【００４５】
また、本発明に係る第１の光学的情報記録媒体については、線速度ｖに加えて、線速度ｖ２でテスト記録を行い、線速度ｖ２でテスト記録を行う領域を、データ領域の最外周近傍に設けることが、各線速度における記録条件の推定精度を高められる点からより好ましい。
【００４６】
前記目的を達成するため、本発明に係る第２の光学的情報記録方法は、
光学的情報記録媒体を回転させ、少なくとも異なる２種類の線速度で光学的情報記録媒体に情報信号を記録し、記録する線速度の変化に応じてチャネルクロック周期を変化させ、線密度を略一定として情報信号を記録し、
情報信号を記録する前にテスト記録を行う光学的情報記録方法であって、
情報信号を記録する最小の線速度をｖ１、最大の線速度をｖ２としたときに、
少なくともｖ１およびｖ２の線速度でテスト記録を行い、
それぞれのテスト記録時の光学的情報記録媒体の回転速度を、略等しくすることを特徴とする。
【００４７】
この方法によれば、テスト記録のときに情報を記録するときよりもスピンドルモーターの回転数を高くする必要がないので、従来と比べて低コストのモーターを用いることができ、情報記録装置を低コスト化することが可能となる。また、テスト記録時にスピンドルモーターを変速する必要がないので、テスト記録に要する時間を短縮することができる。
【００４８】
また、本発明に係る第２の光学的情報記録方法については、
光学的情報記録媒体を等回転速度ｓ０で回転させ、記録する線速度の変化に応じてチャネルクロック周期を変化させ、線密度を略一定として情報信号を記録し、
情報信号を記録する前にテスト記録を行う光学的情報記録方法であって、
光学的情報記録媒体はデータ領域を具備し、
データ領域の最内周における線速度をｖ１、最外周における線速度をｖ２としたときに、
少なくともｖ１およびｖ２の線速度でテスト記録を行い、
それぞれのテスト記録時の光学的情報記録媒体の回転速度を、ｓ０と略等しくするものであってもよい。
【００４９】
この方法によれば、ＣＡＶ記録方式の媒体であっても、テスト記録のときに情報を記録するときよりもスピンドルモーターの回転数を高くする必要がないので、従来と比べて低コストのモーターを用いることができ、情報記録装置を低コスト化することが可能となる。また、テスト記録時にスピンドルモーターを変速する必要がないので、テスト記録に要する時間を短縮することができる。
【００５０】
また、本発明に係る第２の光学的情報記録方法については、
光学的情報記録媒体を等回転速度ｓ０で回転させ、記録する線速度の変化に応じてチャネルクロック周期を変化させ、線密度を略一定として情報信号を記録し、
情報信号を記録する前にテスト記録を行う光学的情報記録方法であって、
光学的情報記録媒体はデータ領域を具備し、
光学的情報記録媒体のデータ領域を所定の数のトラックで構成される複数のゾーンに分割し、内周のゾーンから外周のゾーンになるに従って１周あたりのセクタ数を増加させ、同一ゾーン内では１周あたりの線密度を等しくし、
最内周ゾーンにおける線速度をｖ１、最外周における線速度をｖ２としたときに、
少なくともｖ１およびｖ２の線速度でテスト記録を行い、
それぞれのテスト記録時の光学的情報記録媒体の回転速度を、ｓ０と略等しくするものであっても良い。
【００５１】
この方法によれば、Ｚ−ＣＬＶフォーマットの媒体であっても、テスト記録のときに情報を記録するときよりもスピンドルモーターの回転数を高くする必要がないので、従来と比べて低コストのモーターを用いることができ、情報記録装置を低コスト化することが可能となる。また、テスト記録時にスピンドルモーターを変速する必要がないので、テスト記録に要する時間を短縮することができる。
【００５２】
前記目的を達成するため、本発明に係る第２の光学的情報記録装置は、光学的情報記録媒体を回転させ、少なくとも異なる２種類の線速度で光学的情報記録媒体に情報信号を記録し、記録する線速度の変化に応じてチャネルクロック周期を変化させ、線密度を略一定として情報信号を記録し、
情報信号を記録する前にテスト記録を行う光学的情報記録装置であって、
光学的情報記録媒体の回転速度を制御する回転制御手段と、
テスト信号を光学的情報記録媒体に記録して記録条件を決定するテスト記録手段と、
情報信号を光学的情報記録媒体に記録する情報記録手段とを具備し、
情報信号を記録する最小の線速度をｖ１、最大の線速度をｖ２としたときに、
テスト記録手段は少なくともｖ１およびｖ２の線速度でテスト記録を行い、
回転制御手段は、それぞれのテスト記録時の光学的情報記録媒体の回転速度を、略等しくすることを特徴とする。
【００５３】
この装置によれば、テスト記録のときに情報を記録するときよりもスピンドルモーターの回転数を高くする必要がないので、従来と比べて低コストのモーターを用いることができ、情報記録装置を低コスト化することが可能となる。また、テスト記録時にスピンドルモーターを変速する必要がないので、テスト記録に要する時間を短縮することができる。
【００５４】
また、本発明に係る第２の光学的情報記録装置については、光学的情報記録媒体を等回転速度ｓ０で回転させ、記録する線速度の変化に応じてチャネルクロック周期を変化させ、線密度を略一定として情報信号を記録し、
情報信号を記録する前にテスト記録を行う光学的情報記録方法であって、
光学的情報記録媒体の回転速度を制御する回転制御手段と、
テスト信号を光学的情報記録媒体に記録して記録条件を決定するテスト記録手段と、
情報信号を光学的情報記録媒体に記録する情報記録手段とを具備し、
光学的情報記録媒体はデータ領域を具備し、
光学的情報記録媒体のデータ領域を所定の数のトラックで構成される複数のゾーンに分割し、内周のゾーンから外周のゾーンになるに従って１周あたりのセクタ数を増加させ、同一ゾーン内では１周あたりの線密度を等しくし、
最内周ゾーンにおける線速度をｖ１、最外周における線速度をｖ２としたときに、
テスト記録手段は少なくともｖ１およびｖ２の線速度でテスト記録を行い、
回転制御手段は、それぞれのテスト記録時の光学的情報記録媒体の回転速度を、ｓ０と略等しくするものであっても良い。
【００５５】
この装置によれば、ＣＡＶ記録方式の媒体であっても、テスト記録のときに情報を記録するときよりもスピンドルモーターの回転数を高くする必要がないので、従来と比べて低コストのモーターを用いることができ、情報記録装置を低コスト化することが可能となる。また、テスト記録時にスピンドルモーターを変速する必要がないので、テスト記録に要する時間を短縮することができる。
【００５６】
また、本発明に係る第２の光学的情報記録装置については、光学的情報記録媒体を等回転速度ｓ０で回転させ、記録する線速度の変化に応じてチャネルクロック周期を変化させ、線密度を略一定として情報信号を記録し、
情報信号を記録する前にテスト記録を行う光学的情報記録方法であって、
光学的情報記録媒体の回転速度を制御する回転制御手段と、
テスト信号を光学的情報記録媒体に記録して記録条件を決定するテスト記録手段と、
情報信号を光学的情報記録媒体に記録する情報記録手段とを具備し、
光学的情報記録媒体はデータ領域を具備し、
光学的情報記録媒体のデータ領域を所定の数のトラックで構成される複数のゾーンに分割し、内周のゾーンから外周のゾーンになるに従って１周あたりのセクタ数を増加させ、同一ゾーン内では１周あたりの線密度を等しくし、
最内周ゾーンにおける線速度をｖ１、最外周における線速度をｖ２としたときに、
テスト記録手段は少なくともｖ１およびｖ２の線速度でテスト記録を行い、
回転制御手段は、それぞれのテスト記録時の光学的情報記録媒体の回転速度を、ｓ０と略等しくするものであっても良い。
【００５７】
この装置によれば、Ｚ−ＣＬＶフォーマットの媒体であっても、テスト記録のときに情報を記録するときよりもスピンドルモーターの回転数を高くする必要がないので、従来と比べて低コストのモーターを用いることができ、情報記録装置を低コスト化することが可能となる。また、テスト記録時にスピンドルモーターを変速する必要がないので、テスト記録に要する時間を短縮することができる。
【００５８】
前記目的を達成するため、本発明に係る第２の光学的情報記録媒体は、
光学的情報記録媒体を回転させた時に、少なくとも異なる２種類の線速度で光学的情報記録媒体に情報信号を記録し、記録する線速度の変化に応じてチャネルクロック周期を変化させ、線密度を略一定として情報信号を記録し、
情報信号を記録する前にテスト記録を行う光学的情報記録媒体であって、
情報信号を記録する最小の線速度をｖ１、最大の線速度をｖ２としたときに、
少なくともｖ１およびｖ２の線速度でテスト記録を行い、
それぞれのテスト記録を行う領域を、光学的情報記録媒体の回転速度が略等しくなる半径位置に設けることを特徴とする。
【００５９】
この媒体によれば、テスト記録のときに情報を記録するときよりもスピンドルモーターの回転数を高くする必要がないので、従来と比べて低コストのモーターを用いることができ、情報記録装置を低コスト化することが可能となる。また、テスト記録時にスピンドルモーターを変速する必要がないので、テスト記録に要する時間を短縮することができる。
【００６０】
また、本発明に係る第２の光学的情報記録媒体については、
光学的情報記録媒体を等回転速度ｓ０で回転させた時に、記録する線速度の変化に応じてチャネルクロック周期を変化させ、線密度を略一定として情報信号を記録し、
情報信号を記録する前にテスト記録を行う光学的情報記録媒体であって、
光学的情報記録媒体はデータ領域を具備し、
データ領域の最内周における線速度をｖ１、最外周における線速度をｖ２としたときに、
少なくともｖ１およびｖ２の線速度でテスト記録を行い、
それぞれのテスト記録を行う領域を、テスト記録時の光学的情報記録媒体の回転速度がｓ０と略等しくなる半径位置に設けるものであっても良い。
【００６１】
この媒体によれば、ＣＡＶ記録方式の媒体であっても、テスト記録のときに情報を記録するときよりもスピンドルモーターの回転数を高くする必要がないので、従来と比べて低コストのモーターを用いることができ、情報記録装置を低コスト化することが可能となる。また、テスト記録時にスピンドルモーターを変速する必要がないので、テスト記録に要する時間を短縮することができる。
【００６２】
また、本発明に係る第２の光学的情報記録媒体については、
光学的情報記録媒体を等回転速度ｓ０で回転させた時に、記録する線速度の変化に応じてチャネルクロック周期を変化させ、線密度を略一定として情報信号を記録し、
情報信号を記録する前にテスト記録を行う光学的情報記録媒体であって、
光学的情報記録媒体はデータ領域を具備し、
光学的情報記録媒体のデータ領域を所定の数のトラックで構成される複数のゾーンに分割し、内周のゾーンから外周のゾーンになるに従って１周あたりのセクタ数を増加させ、同一ゾーン内では１周あたりの線密度を等しくし、
最内周ゾーンにおける線速度をｖ１、最外周における線速度をｖ２としたときに、
少なくともｖ１およびｖ２の線速度でテスト記録を行い、
それぞれのテスト記録を行う領域を、テスト記録時の光学的情報記録媒体の回転速度がｓ０と略等しくなる半径位置に設けるものであっても良い。
【００６３】
この媒体によれば、Ｚ−ＣＬＶフォーマットの媒体であっても、テスト記録のときに情報を記録するときよりもスピンドルモーターの回転数を高くする必要がないので、従来と比べて低コストのモーターを用いることができ、情報記録装置を低コスト化することが可能となる。また、テスト記録時にスピンドルモーターを変速する必要がないので、テスト記録に要する時間を短縮することができる。
【００６４】
なお、本発明に係る第１および第２の光学的情報記録方法については、
テスト記録で決定する記録条件を、情報信号を記録する時のレーザパワーおよび／または記録パルス波形とすることがより好ましい。これは、最適な発光パワーレベルや記録パルスの波形は線速度に応じて敏感に変化するからである。
【００６５】
また、本発明に係る第１および第２の光学的情報記録媒体については、
等線速度でも情報信号を記録することが、等線速度で記録する装置と等回転速度で記録する装置の両方で記録可能な媒体となることからより好ましい。
【００６６】
前記目的を達成するため、本発明に係る第３の光学的情報記録方法は、
光学的情報記録媒体を等回転速度ｓ０で回転させ、記録する線速度の変化に応じてチャネルクロック周期を変化させ、線密度を略一定として情報信号を記録する光学的情報記録方法であって、
光学的情報記録媒体はらせん状のトラックを有し、
光学的情報記録媒体を所定の回転方向で回転させると内周から外周方向へレーザスポットが移動する場合に、
光学的情報記録媒体への情報信号の記録は外周から内周方向に行うことを特徴とする。
【００６７】
この方法によれば、ディスク使用開始当初から高いデータ転送レートで情報を記録できる効果が得られる。
【００６８】
前記目的を達成するため、本発明に係る第４の光学的情報記録方法は、
光学的情報記録媒体を等回転速度ｓ０で回転させ、記録する線速度の変化に応じてチャネルクロック周期を変化させ、線密度を略一定として情報信号を記録し、
情報信号を記録する前にテスト記録を行う光学的情報記録方法であって、
光学的情報記録媒体はデータ領域を具備し、
光学的情報記録媒体のデータ領域を所定の数のトラックで構成される複数のゾーンに分割し、内周のゾーンから外周のゾーンになるに従って１周あたりのセクタ数を増加させ、同一ゾーン内では１周あたりの線密度を等しくし、
光学的情報記録媒体はらせん状のトラックを有し、
光学的情報記録媒体を所定の回転方向で回転させると内周から外周方向へレーザスポットが移動する場合に、
光学的情報記録媒体への情報信号の記録は外周ゾーンから内周ゾーンの方向へ行うことを特徴とする。
【００６９】
この方法によれば、Ｚ−ＣＬＶフォーマットの媒体であっても、ディスク使用開始当初から高いデータ転送レートで情報を記録できる効果が得られる。
【００７０】
また、本発明に係る第３または第４の光学的情報記録方法については、ゾーン内では内周から外周方向へ記録することがより好ましい。
【００７１】
また、本発明に係る第４の光学的情報記録方法については、ゾーン内では内周から外周方向へ記録することが、情報信号を記録するときのトラックジャンプの回数を減らすことができる点からより好ましい。
【００７２】
また、本発明に係る第３または第４の光学的情報記録方法については、記録時に光学的情報記録媒体が１回転するごとに１回、外周から内周方向へトラックジャンプすることが、外周から内周への情報記録を容易に行うことができる点からより好ましい。
【発明の効果】
【００７３】
以上に述べたように、本発明の光学的情報記録方法によれば、ＣＡＶ記録方式の媒体において中間線速度のテスト記録領域を、情報記録時の媒体の回転速度以下となる半径位置に設け、最低線速度および最高線速度のテスト記録領域を、情報記録時の媒体の回転速度と同等となる半径位置に設けてテスト記録することにより、従来と比べて低コストのモーターを用いることができ、情報記録装置を低コスト化することが可能となる。同時に、テスト記録時に変速に要する時間をなくすことができ、テスト記録全体に要する時間を短縮することができる。
【００７４】
また、本発明の光学的情報記録方法によれば、CAV記録方式で内周から外周へらせん状のトラックを有する媒体に外周側から記録することで、ディスク使用開始当初から高いデータ転送レートで情報を記録できる効果を得ることができる。
【発明を実施するための最良の形態】
【００７５】
以下、実施の形態を用いて本発明をさらに具体的に説明する。
【００７６】
＜実施の形態１の構成＞
まず、本発明の第１の実施形態における光学的情報記録再生方法において、テスト記録する場合の構成を図１〜図２を用いて説明する。
【００７７】
本実施形態では、ＣＡＶ記録方式のディスクを最低線速度ｖ１、最高線速度ｖ２、中間線速度ｖ（ここではｖ＝（ｖ１＋ｖ２）／２とする）の３点でテスト記録する場合について述べる。
【００７８】
図１は本発明の実施形態の情報記録装置の概略構成を示すブロック図である。
【００７９】
１はデータを記録再生する光ディスクで、２は記録再生装置全体を制御するシステム制御回路である。３は記録するデータに応じて２値化された記録データ信号を発生させる変調回路で、４は記録データ信号に応じてレーザを駆動するパルスを発生させる記録パルス生成回路である。５は記録パルス生成回路が出力するパルスに応じて、光ヘッド６内のレーザを駆動させる電流を変調するレーザ駆動回路である。６は光ヘッドであり、レーザ光を集束して光ディスク１に照射する。７は光ディスクの線速度（すなわち、回転数）を制御する線速度設定回路、８は光ディスク１を回転させるスピンドルモーターである。９は光ディスク１からの反射光に基づく再生信号の波形処理を行なう再生信号処理回路であり、１０は再生データを得るための復調回路である。１１はテスト記録時にテストパターン信号を発するテストパターン生成回路である。
【００８０】
図２は本発明の実施形態の光ディスクの構成（すなわち、フォーマット）を示す図である。このディスクは最内周（半径ｒ１）、中周（半径ｒ３）、最外周（半径ｒ２）にそれぞれテスト記録領域２２、２４、２３を有し、各テスト記録領域の間にデータ領域２１を備えている。
【００８１】
＜実施の形態１の動作＞
次に図１、図２および図３を用いて、本実施形態の記録再生装置の動作について説明する。
【００８２】
図３は本実施形態の動作を示すフローチャートである。
【００８３】
記録時には、まず、回転速度設定工程ステップ３０１（以下、Ｓ３０１のように略記する）により、システム制御回路２の命令に基づいて回転速度設定回路７がスピンドルモーター８の回転数を制御し、光ディスク１を情報記録時の回転速度ｓ０で回転させる。シーク動作工程Ｓ３０２により、光ヘッド６が光ディスク１上のテスト記録領域２２にシークする。このときの線速度は、情報記録時の最低線速度ｖ１となる。テスト記録領域２２は、最低速度ｖ１でテスト記録する際の光ディスク１の回転速度が情報記録時の回転速度ｓ０と等しくなるような半径位置に設けられている。
【００８４】
テスト記録工程Ｓ３０３により、システム制御回路２が、この線速度で最適な記録条件を決定する。この工程では、システム制御回路２は記録時のチャネルクロック周期を線速度に反比例するように設定する（すなわち、この場合は最低線速度であるため、チャネルクロック周期が最長となるよう設定する）。テストパターン生成回路１１からテストパターン信号を記録パルス生成回路４に送り、レーザ駆動回路５で光ヘッド６を駆動して光ディスク１に記録する。記録したテストパターンを光ヘッド６で再生して再生信号を得、再生信号処理回路９、復調回路１０を経て再生データとし、システム制御回路２で再生データの品質を評価する。
【００８５】
記録条件決定工程Ｓ３０４により、システム制御回路２は再生データの品質が最高となるように記録条件を決定する。
【００８６】
この記録条件決定工程Ｓ３０４で決定する記録条件としては、記録パワーや消去パワーといった記録時のレーザの発光パワーレベルや、記録パルスの波形であることがより好ましい。これは、最適な発光パワーレベルや記録パルスの波形は線速度に応じて敏感に変化するからである。
【００８７】
次にシーク動作工程Ｓ３０５により、光ヘッド６が光ディスク１上のテスト記録領域２４にシークする。テスト記録工程Ｓ３０６、記録条件決定工程Ｓ３０７により、Ｓ３０３・Ｓ３０４と同様にテスト記録して線速度ｖでの記録条件を決定する。
【００８８】
ここで本発明のポイントとなることは、線速度ｖでテスト記録する際の光ディスク１の回転速度が、情報記録時の回転速度ｓ０以下となるような半径位置にテスト記録領域２４を設けることである。
【００８９】
すなわち本実施形態ではｖ＝（ｖ１＋ｖ２）／２としているので、テスト記録領域２４は、ｒ３≧（ｒ１＋ｒ２）となる半径位置ｒ３に設ける。そうすれば線速度ｖでのテスト記録時の回転速度はｓ０を上回ることはなくなるので、スピンドルモーター８の回転速度を高くする必要がなくなる。これにより、スピンドルモーターに要求される最大回転速度はテスト記録時であってもｓ０以下となる。従来はテスト記録時に回転速度をｓ０以上に高くさせることが必要だったので、情報記録時の回転速度よりも高速で回転するスピンドルモーターが要求されたのに対して、本実施形態では従来よりも低コストのスピンドルモーターを用いることができる。その結果として情報記録装置を低コスト化することが可能となる。
【００９０】
また、線速度ｖでテスト記録する際の光ディスク１の回転速度が、情報記録時の回転速度ｓ０と等しくなるような半径位置にテスト記録領域２４を設けることがより好ましい。
【００９１】
すなわち、テスト記録領域２４をｒ３＝（ｒ１＋ｒ２）となる半径位置ｒ３に設ける。そうすれば線速度ｖでのテスト記録時の回転速度は、先にテスト記録領域２２で線速度ｖ１に対してテスト記録した時の回転速度と等しくなる。その結果、線速度ｖでテスト記録する前（すなわちＳ３０６の前）にスピンドルモーター８をｓ０から減速し、線速度ｖでの記録条件の決定後（すなわちＳ３０７の後）にスピンドルモーター８をｓ０まで加速する必要がなくなる。したがって、変速に要する時間をなくすことができ、テスト記録全体に要する時間を短縮することが可能となる。
【００９２】
なお図３に示すフローチャートでは、線速度ｖでのテスト記録の前後に変速しない場合の工程を示している。
【００９３】
Ｓ３０７にて線速度ｖでの記録条件を決定した後、シーク動作工程Ｓ３０８により、光ヘッド６が光ディスク１上のテスト記録領域２３にシークする。このときの線速度は、情報記録時の最高線速度ｖ２となる。
【００９４】
テスト記録工程Ｓ３０９、記録条件決定工程Ｓ３１０により、Ｓ３０３・Ｓ３０４と同様にテスト記録して線速度ｖ２での記録条件を決定して、テスト記録を終了する。テスト記録終了後は、実際の情報信号を光ディスク１に記録することになる。
【００９５】
ここでポイントとなることは、最大線速度ｖ２でテスト記録する際の光ディスク１の回転速度が、情報記録時の回転速度ｓ０と等しくなるような半径位置にテスト記録領域２３を設けることである。すなわち、ＣＡＶ記録方式において最大線速度ｖ２で記録するのは光ディスクの最外周であるが、テスト記録領域２３も最外周近傍に設けることで、回転速度をｓ０より速くする必要がなくなる。したがって線速度ｖでのテスト記録の場合と同様に、従来と比べて低コストのモーターを用いることができ、情報記録装置を低コスト化することが可能となる。同時に、テスト記録時に変速に要する時間をなくすことができ、テスト記録全体に要する時間を短縮することができる。
【００９６】
以上述べたように本実施形態によれば、ＣＡＶ記録方式の媒体において中間線速度のテスト記録領域を、情報記録時の媒体の回転速度以下となる半径位置に設けている。さらに、、最低線速度および最高線速度のテスト記録領域を、情報記録時の媒体の回転速度と同等となる半径位置に設けてテスト記録している。以上より、従来と比べて低コストのモーターを用いることができ、情報記録装置を低コスト化することが可能となる。同時に、テスト記録時に変速に要する時間をなくすことができ、テスト記録全体に要する時間を短縮することができる。
【００９７】
＜実施の形態１の別の形態１＞
上記の実施形態では、中間線速度ｖでのテスト記録領域２４をデータ領域２１の中間に設けたが、媒体のフォーマットによってはデータ領域を途中で分断できない場合もある。      
【００９８】
その場合は光ディスクの構成を図４のようにすることが好ましい。図４の構成で上記の実施形態（図２）と異なるのは、中間線速度ｖ２でのテスト記録領域４１を最外周近傍（すなわち半径ｒ４）に配置していることである。
【００９９】
図４の構成を用いた場合の実施形態の動作を示すフローチャートを図５に示す。図５の動作で上記の実施形態における動作と異なる点は、中間線速度ｖでのテスト記録（Ｓ５０７）前に回転速度設定工程Ｓ５０６によりスピンドルモーター８をｓ０から減速し、記録条件決定（Ｓ５０８）後に回転速度設定工程Ｓ５０９によりｓ０まで加速する（Ｓ５０９）ことである。
【０１００】
この形態では中間線速度ｖでのテスト記録時にスピンドルモーター８の変速動作が入るが、光ディスク１のデータ領域がテスト領域で分断されない利点を有する。また、スピンドルモーターをｓ０より速く回転させる必要がなく、情報記録装置を低コスト化できる効果を有しているのは上記の実施形態と同様である。
【０１０１】
なお、この形態では中間線速度ｖでのテスト記録領域４１と最高線速度でのテスト記録領域２３を別の領域としたが、図６の光ディスクの構成に示すように、最高線速度でのテスト記録領域２３は、中間線速度のテスト記録領域を兼ねるものであってもかまわない。
【０１０２】
＜実施の形態１の別の形態２＞
上記の実施形態では、ディスクの線密度を媒体全面にわたって一定とするためにチャネルクロック周期を線速度の増大に反比例させて小さくするCAV記録方式の場合について説明した。この他にも、Z-CLVフォーマットのディスクをCAV記録する形態のものであっても良い。それを図７を用いて以下説明する。
【０１０３】
図７は、Z-CLVフォーマットのディスクにCAV記録方式で記録する時の、ディスク半径方向に対する各種設定の変化について示すものである。この実施形態では、データ領域を８つのゾーンに分けた場合について説明する。
【０１０４】
図７（ａ）はZ-CLVフォーマットのディスクでの１トラック当たりのセクタ数を示すもので、外周側に行くほどセクタ数が増加する。図７（ｂ）はディスクの回転速度を示すもので、内外周にわたって一定の回転速度となるように設定する。図７（ｃ）はディスクの線速度を示すもので、外周ほど線速度が速くなるのは上記の実施形態と同様である。図７（ｄ）は情報記録時のチャネルクロック周期を示すもので、ゾーンごとのチャネルクロック周期は一定とし、外周側に行くに従って、段階的に周期を小さくする。このようにすれば、Z-CLV記録方式で記録したときと同じ線密度で、CAV記録方式を用いて記録することができる。
【０１０５】
このようなZ-CLVフォーマットのディスクにCAV記録するときのテスト記録についても上記の実施形態と同様であり、中間線速度のゾーン（例えばゾーン４または５）のテスト記録領域を、情報記録時の媒体の回転速度以下となる半径位置に設け、最低線速度のゾーン（ゾーン１）および最高線速度のゾーン（ゾーン８）のテスト記録領域を、情報記録時の媒体の回転速度と同等となる半径位置に設けてテスト記録することにより、従来と比べて低コストのモーターを用いることができ、情報記録装置を低コスト化することが可能となる。同時に、テスト記録時に変速に要する時間をなくすことができ、テスト記録全体に要する時間を短縮することができる。
【０１０６】
なお、上記第１の実施形態では最低線速度、最高線速度、中間線速度の３種類でテスト記録するものとしたが、上記の線速度のうち２種類でテスト記録してそれ以外の線速度の記録条件は内挿または外挿で求めるものであってもよい。あるいは上記の線速度のうち１種類でテスト記録してそれ以外の記録条件を推定して求めるものであってもよい。
【０１０７】
＜実施の形態２の構成・動作＞
次に、本発明の第２の実施形態の構成および動作について説明する。
【０１０８】
図８は本実施形態において、光ディスクへの記録再生時にトラック上をレーザスポットが移動する方向を示したものである。８０１はトラックである。８０２はレーザスポットで矢印はスポットの移動方向を示している。８０３はトラックジャンプの方向を示している。
【０１０９】
内周から外周方向にらせん状にトラックが形成されている光ディスクの場合、従来はディスクは最内周から使用開始され、外周方向に記録されていた。
【０１１０】
しかしＣＡＶ記録方式の場合には最内周が最もデータ転送レートが低く（すなわちチャネルクロック周期が長く）なるので、ディスクの使用開始当初は最も記録速度が遅くなる。逆にディスク全面にわたって記録し、最外周付近を記録再生しているときが最も記録速度が速くなることになる。
【０１１１】
そこで、本発明では、図８に示すような方法でディスクに記録する。ディスク使用開始時は最外周のトラック８０１から記録を始める。１回転に１回だけ、レーザスポット８０２を内周側に２トラック分ジャンプして（８０３の矢印がトラックジャンプを示す）記録再生を続けることにより、外周から内周方向にディスクを使用することができる。これにより、ディスク使用開始当初から高いデータ転送レートで情報を記録できる効果が得られる。
【０１１２】
また、Z-CLVフォーマットで内周から外周方向にらせん状にトラックが形成されているディスクをCAV記録するときでも同様の効果を得ることができる。図９は、データ領域が８ゾーンに分けられた、Z-CLVフォーマットディスクにおける記録動作を説明する図である。この場合、ディスクの使用当初はゾーン８の最内周側から記録を開始する。ゾーン８の最外周側まで記録した後、ゾーン間ジャンプ９０１により、ゾーン７の最内周側にレーザスポットをシークして、記録を再開する。ゾーン７の最外周側まで記録した後は、再びゾーン間ジャンプ９０１により、ゾーン６の最内周側にレーザスポットを移動する。このようにして内周方向へ記録していくことで、ディスク使用開始当初から高いデータ転送レートで情報を記録できることになる。
【０１１３】
以上述べたように本実施形態では、CAV記録方式を用いて内周から外周へらせん状のトラックを有する媒体に外周側から記録することで、ディスク使用開始当初から高いデータ転送レートで情報を記録できる効果が得られる。
【０１１４】
なお、本発明の第２の実施形態において、トラックはガイド溝であってもよいし、ガイド溝の間にあるランドであってもよいし、ガイド溝とランドを交互にトレースするものであっても良い。
【０１１５】
また、上記の各実施形態におけるゾーンフォーマットや、データ領域・テスト記録領域の範囲等は上述の各実施形態で示したものに限るわけではなく、記録条件や媒体に応じて適切なものを設定することが可能である。
【０１１６】
また、上記の光ディスクは相変化材料、光磁気材料や色素材料等、熱的または光学的にディスクの記録膜に作用して、光学的特性の異なる状態を記録マークとして作り出せる媒体であればいずれも上記の方法を適用することができる。
【実施例】
【０１１７】
本発明の第１の実施の形態について、より具体的な実施例を説明する。
【０１１８】
光ディスク１の基板には、直径１２０ｍｍ、厚さ０．６ ｍｍのポリカーボネート樹脂を用いた。この基板には、凸凹形状の位相ピットをあらかじめコントロールトラック領域としてプリフォーマットした。
【０１１９】
コントロールトラック領域には、ディスクが対応している記録線速度を表す情報を識別子として記録した。本実施例では、このディスクは線速度８．２ｍ／ｓから線速度２０．５ｍ／ｓの範囲の記録に対応するものとした。
【０１２０】
樹脂基板のデータ領域内には記録用ガイド溝を形成した。ガイド溝のピッチは１．４μｍである。なお、データ領域内にセクタを設ける構造として、セクタとセクタの間にアドレス情報を表す位相ピットを形成する形態としてもかまわない。
【０１２１】
基板上に保護膜、記録膜、保護膜、反射膜をスパッタリング法により４層成膜し、その上に保護基板を接着した。保護膜としてZnS-SiO２, 記録膜としてGeSbTe, 反射膜としてAlを用いた。
【０１２２】
データ領域の半径位置は２３．２ｍｍから５８．０ｍｍの範囲とし、テスト記録領域はデータ領域の内周側と外周側の２カ所に設けた。すなわち、テスト記録領域の半径位置は２３．１ｍｍから２３．２ｍｍの範囲、および５８．０ｍｍから５８．１ｍｍの範囲とした。
【０１２３】
このディスクを一定回転数３３７５ｒｐｍ（すなわち等回転速度）で回転させると、データ領域の最内周（すなわち半径２３．２ｍｍ）では線速度８．２ｍ／ｓで、最外周（すなわち半径５８．０ｍｍ）では線速度２０．５ｍ／ｓで記録再生することになる。
【０１２４】
内周から外周にわたっての線速度の変化に対応してチャネルクロック周期を変化させることにより、線密度を一定にして記録するのがＣＡＶ記録方式である。本実施例では情報の変調方式は（８−１６）パルス幅変調とし、最短マーク長が0.40μｍとなるようにチャネルクロック周期を設定した。
【０１２５】
このディスクに対して、最小線速度の８．２ｍ／ｓ、中間線速度である１２．３ｍ／ｓ、最大線速度の２０．５ｍ／ｓの３点でテスト記録を実施した。
【０１２６】
本実施例の記録方法・媒体では、最内周と最外周の両方にテスト記録領域を設けているので最小線速度は最内周で、中間線速度と最大線速度は最外周でテスト記録を実施することにすれば、各線速度でのテスト記録時の回転数は以下のようになる。
【０１２７】
最小線速度（８．２／（２×π×０．０２３１））×６０＝３３８９ｒｐｍ
中間線速度（１２．３／（２×π×０．０５８０））×６０＝２０２５ｒｐｍ
最大線速度（２０．５／（２×π×０．０５８０））×６０＝３３７５ｒｐｍ
このように、スピンドルモーターに要求される最大の回転数は３３８９ｒｐｍとなる。
【０１２８】
一方、従来の記録方法・媒体では、最内周に存在するテスト記録領域で中間線速度、最大線速度のテスト記録も実施する必要がある。そのため、各線速度でのテスト記録時の回転数は以下のようになる。
【０１２９】
最小線速度（８．２／（２×π×０．０２３１））×６０＝３３８９ｒｐｍ
中間線速度（１２．３／（２×π×０．０２３１））×６０＝５０８５ｒｐｍ
最大線速度（２０．５／（２×π×０．０２３１））×６０＝８４７４ｒｐｍ
このように、スピンドルモーターに要求される最大の回転数は８４７４ｒｐｍである。
【０１３０】
したがって、本実施例ではスピンドルモーターに要求される最大回転数が従来の約４０％で済むので、従来と比べて低コストで構造の簡単なスピンドルモーターを記録装置に用いることが可能となる。
【０１３１】
なお本実施例において、データ領域を分断しても良い場合には中間線速度用のテスト記録領域を３４．８ｍｍから３４．９ｍｍの範囲に設ければ、中間線速度でのテスト記録時の回転数は、
（１２．３／（２×π×０．０３４８））×６０＝３３７５ｒｐｍ
となり、最小線速度および最大線速度でのテスト記録時の回転数とほぼ同等になる。従ってスピンドルモーターの変速動作に要する時間をほぼゼロにすることができ、テスト記録に要する時間を短縮することができる。
【産業上の利用可能性】
【０１３２】
本発明の光学的情報記録方法、光学的情報記録装置および光学的情報記録媒体は、パーソナルコンピュータ、サーバー、レコーダーにも適用可能であり、上述と同様の効果を得ることができる。
【図面の簡単な説明】
【０１３３】
【図１】本発明の実施形態に係る記録再生装置の構成を示すブロック図
【図２】本発明の実施形態１に係る光ディスクの構成を示すフォーマット図
【図３】実施形態１に係る記録再生装置の動作を説明するフローチャート
【図４】実施形態１の別の実施形態において、光ディスクの構成を示すフォーマット図
【図５】実施形態１の別の実施形態において、記録再生装置の動作を説明するフローチャート
【図６】実施形態１の別の実施形態において、光ディスクの構成を示すフォーマット図
【図７】実施形態１の別の実施形態において、Z-CLVフォーマットのディスクをCAV方式で記録するときの設定を説明する図
【図８】本発明の実施形態２に係る、トラック上のレーザスポットの移動方向を説明する模式図
【図９】本発明の実施形態２の別の実施形態に係る、ディスク上の記録方向を説明する図
【符号の説明】
【０１３４】
１  光ディスク
２  システム制御回路
３  変調回路
４  記録パルス生成回路
５  レーザ駆動回路
６  光ヘッド
７  線速度設定回路
８  スピンドルモーター
９  再生信号処理回路
１０  復調回路
１１  テストパターン生成回路
２１  データ領域
２２・２３・２４・４１  テスト領域
８０１  トラック
８０２  レーザスポット
８０３  トラックジャンプ
９０１  ゾーン間ジャンプ
【図１】
2005100534.tif 000003
【図２】
2005100534.tif 000004
【図３】
2005100534.tif 000005
【図４】
2005100534.tif 000006
【図５】
2005100534.tif 000007
【図６】
2005100534.tif 000008
【図７】
2005100534.tif 000009
【図８】
2005100534.tif 000010
【図９】
2005100534.tif 000011
【手続補正書】
【提出日】平成16年8月25日(2004.8.25)
【手続補正１】
【補正対象書類名】特許請求の範囲
【補正対象項目名】全文
【補正方法】変更
【補正の内容】
【特許請求の範囲】
【請求項１】
光学的情報記録媒体を回転させ、少なくとも異なる２種類の線速度で前記光学的情報記録媒体に情報信号を記録し、記録する前記線速度の変化に応じてチャネルクロック周期を変化させ、線密度を略一定として前記情報信号を記録し、
前記情報信号を記録する前にテスト記録を行う光学的情報記録方法であって、
少なくとも１種類の前記線速度で前記テスト記録を行い、
前記テスト記録時の前記光学的情報記録媒体の回転速度は、前記光学的情報記録媒体に情報信号を記録する時の最大回転速度以下にすることを特徴とする
光学的情報記録方法。
【請求項２】
光学的情報記録媒体を等回転速度ｓ０で回転させ、記録する線速度の変化に応じてチャネルクロック周期を変化させ、線密度を略一定として情報信号を記録し、
前記情報信号を記録する前にテスト記録を行う光学的情報記録方法であって、
前記光学的情報記録媒体はデータ領域を具備し、
データ領域の最内周における線速度をｖ１、最外周における線速度をｖ２としたときに、
ｖ１≦ｖ≦ｖ２なる複数の線速度ｖで前記テスト記録を行い、
前記テスト記録時の前記光学的情報記録媒体の回転速度ｓはｓ０以下にすることを特徴とする
光学的情報記録方法。
【請求項３】
光学的情報記録媒体を等回転速度ｓ０で回転させ、記録する線速度の変化に応じてチャネルクロック周期を変化させ、線密度を略一定として情報信号を記録し、
前記情報信号を記録する前にテスト記録を行う光学的情報記録方法であって、
前記光学的情報記録媒体はデータ領域を具備し、
データ領域の最内周における線速度をｖ１、最外周における線速度をｖ２としたときに、
ｖ１＜ｖ＜ｖ２なる少なくとも１種類の線速度ｖで前記テスト記録を行い、
前記テスト記録時の前記光学的情報記録媒体の回転速度ｓはｓ０以下にすることを特徴とする
光学的情報記録方法。
【請求項４】
前記テスト記録は、前記データ領域の最外周近傍で行うことを特徴とする
請求項２又は３に記載の光学的情報記録方法。
【請求項５】
光学的情報記録媒体を等回転速度ｓ０で回転させ、記録する線速度の変化に応じてチャネルクロック周期を変化させ、線密度を略一定として情報信号を記録し、
前記情報信号を記録する前にテスト記録を行う光学的情報記録方法であって、
前記光学的情報記録媒体はデータ領域を具備し、
前記光学的情報記録媒体のデータ領域を所定の数のトラックで構成される複数のゾーンに分割し、内周のゾーンから外周のゾーンになるに従って１周あたりのセクタ数を増加させ、同一ゾーン内では１周あたりの線密度を等しくし、
最内周ゾーンにおける線速度をｖ１、最外周における線速度をｖ２としたときに、
ｖ１≦ｖ≦ｖ２なる複数の線速度ｖで前記テスト記録を行い、
前記テスト記録時の前記光学的情報記録媒体の回転速度ｓはｓ０以下にすることを特徴とする
光学的情報記録方法。
【請求項６】
光学的情報記録媒体を等回転速度ｓ０で回転させ、記録する線速度の変化に応じてチャネルクロック周期を変化させ、線密度を略一定として情報信号を記録し、
前記情報信号を記録する前にテスト記録を行う光学的情報記録方法であって、
前記光学的情報記録媒体はデータ領域を具備し、
前記光学的情報記録媒体のデータ領域を所定の数のトラックで構成される複数のゾーンに分割し、内周のゾーンから外周のゾーンになるに従って１周あたりのセクタ数を増加させ、同一ゾーン内では１周あたりの線密度を等しくし、
最内周ゾーンにおける線速度をｖ１、最外周における線速度をｖ２としたときに、
ｖ１＜ｖ＜ｖ２なる少なくとも１種類の線速度ｖで前記テスト記録を行い、
前記テスト記録時の前記光学的情報記録媒体の回転速度ｓはｓ０以下にすることを特徴とする
光学的情報記録方法。
【請求項７】
前記テスト記録は、前記データ領域の最外周ゾーン近傍で行うことを特徴とする
請求項５又は６に記載の光学的情報記録方法。
【請求項８】
光学的情報記録媒体を回転させ、少なくとも異なる２種類の線速度で前記光学的情報記録媒体に情報信号を記録し、記録する前記線速度の変化に応じてチャネルクロック周期を変化させ、線密度を略一定として前記情報信号を記録し、
前記情報信号を記録する前にテスト記録を行う光学的情報記録装置であって、
光学的情報記録媒体の回転速度を制御する回転制御手段と、
テスト信号を前記光学的情報記録媒体に記録して記録条件を決定するテスト記録手段と、
情報信号を前記光学的情報記録媒体に記録する情報記録手段とを具備し、
前記テスト記録手段は少なくとも１種類の前記線速度で前記テスト記録を行い、
前記テスト記録時に、前記回転制御手段は、前記光学的情報記録媒体の回転速度を、前記光学的情報記録媒体に情報信号を記録する時の最大回転速度以下にするよう制御することを特徴とする
光学的情報記録装置。
【請求項９】
光学的情報記録媒体を等回転速度ｓ０で回転させ、記録する線速度の変化に応じてチャネルクロック周期を変化させ、線密度を略一定として情報信号を記録し、
前記情報信号を記録する前にテスト記録を行う光学的情報記録装置であって、
光学的情報記録媒体の回転速度を制御する回転制御手段と、
テスト信号を前記光学的情報記録媒体に記録して記録条件を決定するテスト記録手段と、  情報信号を前記光学的情報記録媒体に記録する情報記録手段とを具備し、
前記光学的情報記録媒体はデータ領域を具備し、
データ領域の最内周における線速度をｖ１、最外周における線速度をｖ２としたときに、
ｖ１≦ｖ≦ｖ２なる複数の線速度ｖで前記テスト記録を行い、
前記テスト記録時に、前記回転制御手段は、前記光学的情報記録媒体の回転速度ｓをｓ０以下にすることを特徴とする
光学的情報記録装置。
【請求項１０】
光学的情報記録媒体を等回転速度ｓ０で回転させ、記録する線速度の変化に応じてチャネルクロック周期を変化させ、線密度を略一定として情報信号を記録し、
前記情報信号を記録する前にテスト記録を行う光学的情報記録装置であって、
光学的情報記録媒体の回転速度を制御する回転制御手段と、
テスト信号を前記光学的情報記録媒体に記録して記録条件を決定するテスト記録手段と、  情報信号を前記光学的情報記録媒体に記録する情報記録手段とを具備し、
前記光学的情報記録媒体はデータ領域を具備し、
データ領域の最内周における線速度をｖ１、最外周における線速度をｖ２としたときに、
前記テスト記録手段はｖ１＜ｖ＜ｖ２なる少なくとも１種類の線速度ｖで前記テスト記録を行い、
前記テスト記録時に、前記回転制御手段は、前記光学的情報記録媒体の回転速度ｓをｓ０以下にすることを特徴とする
光学的情報記録装置。
【請求項１１】
前記テスト記録手段は、前記テスト記録を前記データ領域の最外周近傍で行うことを特徴とする
請求項９又は１０に記載の光学的情報記録装置。
【請求項１２】
光学的情報記録媒体を等回転速度ｓ０で回転させ、記録する線速度の変化に応じてチャネルクロック周期を変化させ、線密度を略一定として情報信号を記録し、
前記情報信号を記録する前にテスト記録を行う光学的情報記録装置であって、
光学的情報記録媒体の回転速度を制御する回転制御手段と、
テスト信号を前記光学的情報記録媒体に記録して記録条件を決定するテスト記録手段と、情報信号を前記光学的情報記録媒体に記録する情報記録手段とを具備し、
前記光学的情報記録媒体はデータ領域を具備し、
前記光学的情報記録媒体のデータ領域を所定の数のトラックで構成される複数のゾーンに分割し、内周のゾーンから外周のゾーンになるに従って１周あたりのセクタ数を増加させ、同一ゾーン内では１周あたりの線密度を等しくし、
最内周ゾーンにおける線速度をｖ１、最外周における線速度をｖ２としたときに、
前記テスト記録手段はｖ１≦ｖ≦ｖ２なる複数の線速度ｖで前記テスト記録を行い、
前記回転制御手段は、前記テスト記録時の前記光学的情報記録媒体の回転速度ｓをｓ０以下にすることを特徴とする
光学的情報記録装置。
【請求項１３】
光学的情報記録媒体を等回転速度ｓ０で回転させ、記録する線速度の変化に応じてチャネルクロック周期を変化させ、線密度を略一定として情報信号を記録し、
前記情報信号を記録する前にテスト記録を行う光学的情報記録装置であって、
光学的情報記録媒体の回転速度を制御する回転制御手段と、
テスト信号を前記光学的情報記録媒体に記録して記録条件を決定するテスト記録手段と、情報信号を前記光学的情報記録媒体に記録する情報記録手段とを具備し、
前記光学的情報記録媒体はデータ領域を具備し、
前記光学的情報記録媒体のデータ領域を所定の数のトラックで構成される複数のゾーンに分割し、内周のゾーンから外周のゾーンになるに従って１周あたりのセクタ数を増加させ、同一ゾーン内では１周あたりの線密度を等しくし、
最内周ゾーンにおける線速度をｖ１、最外周における線速度をｖ２としたときに、
前記テスト記録手段はｖ１＜ｖ＜ｖ２なる少なくとも１種類の線速度ｖで前記テスト記録を行い、
前記回転制御手段は、前記テスト記録時の前記光学的情報記録媒体の回転速度ｓをｓ０以下にすることを特徴とする
光学的情報記録装置。
【請求項１４】
前記テスト記録手段は、前記テスト記録を前記データ領域の最外周近傍で行うことを特徴とする
請求項１２又は１３に記載の光学的情報記録装置。
【請求項１５】
光学的情報記録媒体を回転させた時に、少なくとも異なる２種類の線速度で前記光学的情報記録媒体に情報信号を記録し、記録する前記線速度の変化に応じてチャネルクロック周期を変化させ、線密度を略一定として前記情報信号を記録し、
前記情報信号を記録する前にテスト記録を行う光学的情報記録媒体であって、
少なくとも１種類の前記線速度で前記テスト記録を行い、
前記テスト記録を行う領域を、前記テスト記録時の前記光学的情報記録媒体の回転速度が前記光学的情報記録媒体に情報信号を記録する時の最大回転速度以下になる半径位置に設けることを特徴とする
光学的情報記録媒体。
【請求項１６】
光学的情報記録媒体を等回転速度ｓ０で回転させた時に、記録する線速度の変化に応じてチャネルクロック周期を変化させ、線密度を略一定として情報信号を記録し、
前記情報信号を記録する前にテスト記録を行う光学的情報記録媒体であって、
前記光学的情報記録媒体はデータ領域を具備し、
データ領域の最内周における線速度をｖ１、最外周における線速度をｖ２としたときに、
ｖ１＜ｖ＜ｖ２なる少なくとも１種類の線速度ｖで前記テスト記録を行い、
前記テスト記録を行う領域を、前記テスト記録時の前記光学的情報記録媒体の回転速度ｓが前記等回転速度ｓ０以下になる半径位置に設けることを特徴とする
光学的情報記録媒体。
【請求項１７】
前記テスト記録を行う領域を、前記データ領域の最外周近傍に設けることを特徴とする
請求項１６に記載の光学的情報記録媒体。
【請求項１８】
線速度ｖに加えて、線速度ｖ２でテスト記録を行い、線速度ｖ２でテスト記録を行う領域を、前記データ領域の最外周近傍に設けることを特徴とする
請求項１７に記載の光学的情報記録媒体。
【請求項１９】
光学的情報記録媒体を等回転速度ｓ０で回転させた時に、記録する線速度の変化に応じてチャネルクロック周期を変化させ、線密度を略一定として情報信号を記録し、
前記情報信号を記録する前にテスト記録を行う光学的情報記録媒体であって、
前記光学的情報記録媒体はデータ領域を具備し、
前記光学的情報記録媒体のデータ領域を所定の数のトラックで構成される複数のゾーンに分割し、内周のゾーンから外周のゾーンになるに従って１周あたりのセクタ数を増加させ、同一ゾーン内では１周あたりの線密度を等しくし、
最内周ゾーンにおける線速度をｖ１、最外周における線速度をｖ２としたときに、
ｖ１＜ｖ＜ｖ２なる少なくとも１種類の線速度ｖで前記テスト記録を行い、
前記テスト記録を行う領域を、前記テスト記録時の前記光学的情報記録媒体の回転速度ｓが前記等回転速度ｓ０以下になる半径位置に設けることを特徴とする
光学的情報記録媒体。
【請求項２０】
前記テスト記録を行う領域を、前記データ領域の最外周近傍に設けることを特徴とする
請求項１９に記載の光学的情報記録媒体。
【請求項２１】
線速度ｖに加えて、線速度ｖ２でテスト記録を行い、線速度ｖ２でテスト記録を行う領域を、前記データ領域の最外周近傍に設けることを特徴とする
請求項２０に記載の光学的情報記録媒体。
【請求項２２】
光学的情報記録媒体を回転させ、少なくとも異なる２種類の線速度で前記光学的情報記録媒体に情報信号を記録し、記録する前記線速度の変化に応じてチャネルクロック周期を変化させ、線密度を略一定として前記情報信号を記録し、
前記情報信号を記録する前にテスト記録を行う光学的情報記録方法であって、
情報信号を記録する最小の線速度をｖ１、最大の線速度をｖ２としたときに、
少なくともｖ１およびｖ２の線速度で前記テスト記録を行い、
それぞれの前記テスト記録時の前記光学的情報記録媒体の回転速度を、略等しくすることを特徴とする
光学的情報記録方法。
【請求項２３】
光学的情報記録媒体を等回転速度ｓ０で回転させ、記録する線速度の変化に応じてチャネルクロック周期を変化させ、線密度を略一定として情報信号を記録し、
前記情報信号を記録する前にテスト記録を行う光学的情報記録方法であって、
前記光学的情報記録媒体はデータ領域を具備し、
データ領域の最内周における線速度をｖ１、最外周における線速度をｖ２としたときに、
少なくともｖ１およびｖ２の線速度で前記テスト記録を行い、
それぞれの前記テスト記録時の前記光学的情報記録媒体の回転速度を、ｓ０と略等しくすることを特徴とする
光学的情報記録方法。
【請求項２４】
光学的情報記録媒体を等回転速度ｓ０で回転させ、記録する線速度の変化に応じてチャネルクロック周期を変化させ、線密度を略一定として情報信号を記録し、
前記情報信号を記録する前にテスト記録を行う光学的情報記録方法であって、
前記光学的情報記録媒体はデータ領域を具備し、
前記光学的情報記録媒体のデータ領域を所定の数のトラックで構成される複数のゾーンに分割し、内周のゾーンから外周のゾーンになるに従って１周あたりのセクタ数を増加させ、同一ゾーン内では１周あたりの線密度を等しくし、
最内周ゾーンにおける線速度をｖ１、最外周における線速度をｖ２としたときに、
少なくともｖ１およびｖ２の線速度で前記テスト記録を行い、
それぞれの前記テスト記録時の前記光学的情報記録媒体の回転速度を、ｓ０と略等しくすることを特徴とする
光学的情報記録方法。
【請求項２５】
光学的情報記録媒体を回転させ、少なくとも異なる２種類の線速度で前記光学的情報記録媒体に情報信号を記録し、記録する前記線速度の変化に応じてチャネルクロック周期を変化させ、線密度を略一定として前記情報信号を記録し、
前記情報信号を記録する前にテスト記録を行う光学的情報記録装置であって、
光学的情報記録媒体の回転速度を制御する回転制御手段と、
テスト信号を前記光学的情報記録媒体に記録して記録条件を決定するテスト記録手段と、情報信号を前記光学的情報記録媒体に記録する情報記録手段とを具備し、
情報信号を記録する最小の線速度をｖ１、最大の線速度をｖ２としたときに、
前記テスト記録手段は少なくともｖ１およびｖ２の線速度で前記テスト記録を行い、
前記回転制御手段は、それぞれの前記テスト記録時の前記光学的情報記録媒体の回転速度を、略等しくすることを特徴とする
光学的情報記録装置。
【請求項２６】
光学的情報記録媒体を等回転速度ｓ０で回転させ、記録する線速度の変化に応じてチャネルクロック周期を変化させ、線密度を略一定として情報信号を記録し、
前記情報信号を記録する前にテスト記録を行う光学的情報記録装置であって、
光学的情報記録媒体の回転速度を制御する回転制御手段と、
テスト信号を前記光学的情報記録媒体に記録して記録条件を決定するテスト記録手段と、  情報信号を前記光学的情報記録媒体に記録する情報記録手段とを具備し、
前記光学的情報記録媒体はデータ領域を具備し、
データ領域の最内周における線速度をｖ１、最外周における線速度をｖ２としたときに、
前記テスト記録手段は少なくともｖ１およびｖ２の線速度で前記テスト記録を行い、
前記回転制御手段は、それぞれの前記テスト記録時の前記光学的情報記録媒体の回転速度を、ｓ０と略等しくすることを特徴とする
光学的情報記録装置。
【請求項２７】
光学的情報記録媒体を等回転速度ｓ０で回転させ、記録する線速度の変化に応じてチャネルクロック周期を変化させ、線密度を略一定として情報信号を記録し、
前記情報信号を記録する前にテスト記録を行う光学的情報記録方法であって、
光学的情報記録媒体の回転速度を制御する回転制御手段と、
テスト信号を前記光学的情報記録媒体に記録して記録条件を決定するテスト記録手段と、情報信号を前記光学的情報記録媒体に記録する情報記録手段とを具備し、
前記光学的情報記録媒体はデータ領域を具備し、
前記光学的情報記録媒体のデータ領域を所定の数のトラックで構成される複数のゾーンに分割し、内周のゾーンから外周のゾーンになるに従って１周あたりのセクタ数を増加させ、同一ゾーン内では１周あたりの線密度を等しくし、
最内周ゾーンにおける線速度をｖ１、最外周における線速度をｖ２としたときに、
前記テスト記録手段は少なくともｖ１およびｖ２の線速度で前記テスト記録を行い、
前記回転制御手段は、それぞれの前記テスト記録時の前記光学的情報記録媒体の回転速度を、ｓ０と略等しくすることを特徴とする
光学的情報記録装置。
【請求項２８】
光学的情報記録媒体を回転させた時に、少なくとも異なる２種類の線速度で前記光学的情報記録媒体に情報信号を記録し、記録する前記線速度の変化に応じてチャネルクロック周期を変化させ、線密度を略一定として前記情報信号を記録し、
前記情報信号を記録する前にテスト記録を行う光学的情報記録媒体であって、
情報信号を記録する最小の線速度をｖ１、最大の線速度をｖ２としたときに、
少なくともｖ１およびｖ２の線速度で前記テスト記録を行い、
それぞれの前記テスト記録を行う領域を、前記光学的情報記録媒体の回転速度が略等しくなる半径位置に設けることを特徴とする
光学的情報記録媒体。
【請求項２９】
光学的情報記録媒体を等回転速度ｓ０で回転させた時に、記録する線速度の変化に応じてチャネルクロック周期を変化させ、線密度を略一定として情報信号を記録し、
前記情報信号を記録する前にテスト記録を行う光学的情報記録媒体であって、
前記光学的情報記録媒体はデータ領域を具備し、
データ領域の最内周における線速度をｖ１、最外周における線速度をｖ２としたときに、
少なくともｖ１およびｖ２の線速度で前記テスト記録を行い、
それぞれの前記テスト記録を行う領域を、前記テスト記録時の前記光学的情報記録媒体の回転速度がｓ０と略等しくなる半径位置に設けることを特徴とする
光学的情報記録媒体。
【請求項３０】
光学的情報記録媒体を等回転速度ｓ０で回転させた時に、記録する線速度の変化に応じてチャネルクロック周期を変化させ、線密度を略一定として情報信号を記録し、
前記情報信号を記録する前にテスト記録を行う光学的情報記録媒体であって、
前記光学的情報記録媒体はデータ領域を具備し、
前記光学的情報記録媒体のデータ領域を所定の数のトラックで構成される複数のゾーンに分割し、内周のゾーンから外周のゾーンになるに従って１周あたりのセクタ数を増加させ、同一ゾーン内では１周あたりの線密度を等しくし、
最内周ゾーンにおける線速度をｖ１、最外周における線速度をｖ２としたときに、
少なくともｖ１およびｖ２の線速度で前記テスト記録を行い、
それぞれの前記テスト記録を行う領域を、前記テスト記録時の前記光学的情報記録媒体の回転速度がｓ０と略等しくなる半径位置に設けることを特徴とする
光学的情報記録媒体。
【請求項３１】
前記テスト記録によって、前記情報信号を記録する時のレーザパワーを決定することを特徴とする
請求項１〜７、２２〜２４の光学的情報記録方法。
【請求項３２】
前記テスト記録によって、前記情報信号を記録する時の記録パルス波形を決定することを特徴とする
請求項１〜７、２２〜２４の光学的情報記録方法。
【請求項３３】
等線速度でも情報信号を記録することを特徴とする
請求項１５〜２１、２８〜３０の光学的情報記録媒体。
【請求項３４】
光学的情報記録媒体を等回転速度ｓ０で回転させ、記録する線速度の変化に応じてチャネルクロック周期を変化させ、線密度を略一定として情報信号を記録する光学的情報記録方法であって、
前記光学的情報記録媒体はらせん状のトラックを有し、
前記光学的情報記録媒体を所定の回転方向で回転させると内周から外周方向へレーザスポットが移動する場合に、
前記光学的情報記録媒体への情報信号の記録は外周から内周方向に行うことを特徴とする
光学的情報記録方法。
【請求項３５】
記録時には、前記光学的情報記録媒体が１回転するごとに１回、外周から内周方向へトラックジャンプすることを特徴とする
請求項３４に記載の光学的情報記録方法。
【請求項３６】
光学的情報記録媒体を等回転速度ｓ０で回転させ、記録する線速度の変化に応じてチャネルクロック周期を変化させ、線密度を略一定として情報信号を記録し、
前記情報信号を記録する前にテスト記録を行う光学的情報記録方法であって、
前記光学的情報記録媒体はデータ領域を具備し、
前記光学的情報記録媒体のデータ領域を所定の数のトラックで構成される複数のゾーンに分割し、内周のゾーンから外周のゾーンになるに従って１周あたりのセクタ数を増加させ、同一ゾーン内では１周あたりの線密度を等しくし、
前記光学的情報記録媒体はらせん状のトラックを有し、
前記光学的情報記録媒体を所定の回転方向で回転させると内周から外周方向へレーザスポットが移動する場合に、
前記光学的情報記録媒体への情報信号の記録は外周ゾーンから内周ゾーンの方向へ行うことを特徴とする
光学的情報記録方法。
【請求項３７】
記録時には、前記光学的情報記録媒体が１回転するごとに１回、外周から内周方向へトラックジャンプすることを特徴とする
請求項３６に記載の光学的情報記録方法。
【請求項３８】
前記ゾーン内では内周から外周方向へ記録することを特徴とする
請求項３６に記載の光学的情報記録方法。
【手続補正２】
【補正対象書類名】明細書
【補正対象項目名】全文
【補正方法】変更
【補正の内容】
【発明の詳細な説明】
【技術分野】
【０００１】
本発明は、光学的に情報を記録・再生する光学的情報記録媒体、記録再生方法および記録再生装置に関するもので、特に等回転速度で光学的情報記録媒体に記録する方法に関連するものである。
【背景技術】
【０００２】
近年、光学的に情報を記録する媒体として、光ディスク、光カード、光テープなどが提案・開発されている。その中でも光ディスクは、大容量かつ高密度に情報を記録・再生できる媒体として注目されている。
例えば相変化型光ディスクの場合、以下に述べる方法でデータの記録再生が行われている。光ヘッドにより集束させた、再生パワーより強いレーザ光（このパワーレベルを記録パワーという）を光ディスクの記録膜に照射して記録膜の温度を融点を越えて上昇させると、レーザ光の通過とともに溶融部分は急速に冷却されて非晶質（アモルファス）状態のマークが形成される。また、記録膜の温度を結晶化温度以上融点以下の温度まで上昇させる程度のレーザ光（このパワーレベルを消去パワーという）を集束して照射すると、照射部の記録膜は結晶状態になる。
【０００３】
このようにして、媒体にはデータ信号に対応した非晶質領域であるマークと結晶領域であるスペースとからなる記録パターンが形成される。そして結晶と非晶質との反射率の相違を利用して、データの再生が行われる。
上で述べたように、媒体にマークを形成するためには、レーザ光のパワーレベルを少なくとも消去パワーと記録パワーとの間で変調して発光させることが必要である。この変調動作に用いるパルス波形を記録パルスと呼ぶ。
【０００４】
DVD（Digital Versatile Disk）に代表される光ディスクでは、これまで主としてCLV（等線速度）記録方式が用いられてきた。これは、媒体全面にわたって線速度・転送レート・線密度をほぼ同じにして記録する方式である。この場合、媒体の回転速度は、媒体中の記録再生位置（すなわち半径位置）によって変化する。
【０００５】
また、CLV記録方式よりも記録再生装置のスピンドルモーターの回転制御を容易にする方法として、Ｚ−ＣＬＶ（Zoned Constant Linear Velocity）記録方式が提案されている。Ｚ−ＣＬＶ記録方式の光ディスクは、記録領域を所定の数のトラックで構成されるゾーンに分割し、内周のゾーンから外周のゾーンにいくに従って１周あたりのセクタ数を増加させたフォーマットになっている。そしてＺ−ＣＬＶフォーマットのディスクを記録再生する装置は、ディスクの内周から外周にいくに従って段階的にディスクの回転数を低下させ（ここで、各ゾーンでの回転数は一定とする）、ディスク全周にわたって線速度が一定に近くなるようにして記録再生する。Ｚ−ＣＬＶフォーマットについては、例えば非特許文献１にＭ−ＣＬＶ(Modified Constant Linear Velocity)フォーマットの呼称で記載されている。
【０００６】
さらに、媒体の回転速度と線密度を媒体全面にわたってほぼ一定とする、CAV（等角速度または等回転速度）記録方式が提案されている。CAV記録方式では、媒体を回転させるスピンドルモータの回転変速制御が不要なため、スピンドルモータおよびその制御回路を低コストで作製できる利点がある。また、記録再生位置のシーク動作後、所定の回転速度になるまで記録再生動作を待つ必要がないので、媒体に対するアクセス速度を短くすることが可能である。
【０００７】
ところで、光ディスクは交換可能な記録媒体であるので、光ディスクの記録再生装置は異なる複数の媒体に対して安定に記録再生する必要がある。しかし、同一の条件で製造された光ディスクでも、製造時のばらつきや経時変化により最適なパワーレベルは異なる。また、光ディスクの基板表面の汚れや、記録再生装置の光学系の伝送効率の低下、動作状態の変動により、光ディスクの記録膜に到達するレーザ光のパワーが変動することもあり得る。
【０００８】
こうした記録条件の変動に対処するために、ディスクに実際の情報信号を記録する前にテスト記録を行って記録条件を求めている。テスト記録では、ある特定のテストパターンをディスクのテスト記録領域に記録し、再生した信号の特性から、最適な記録パワーや記録パルスの形状を求めるのが一般的である。そしてディスク上には、テスト記録のための領域（これをテスト記録領域と呼ぶ）を、ユーザーが情報信号を記録する領域（これをデータ領域と呼ぶ）とは別に設けることが多い。
【０００９】
しかし、上記のCAV記録方式では、媒体中の半径位置によって線速度と転送レートが連続的に変化する。したがって、記録再生位置によって、媒体において所定の記録マークを形成するための記録条件（すなわち、レーザ光の照射条件や加熱・冷却条件）が変化することになる。
【００１０】
例えば線速度の速い半径位置では、ディスクの単位面積当たりに照射されるレーザ光の熱量が少なくなる。そのため、線速度の遅い半径位置で記録するときよりも高いレーザパワーが必要となる。
逆に、線速度の遅い半径位置ではディスクから見たレーザビームスポットの移動速度が遅くなるために、ディスクの記録膜の冷却速度が遅くなって過剰に結晶化が進行し、記録マークが形成されにくくなる。そのため、線速度の速い半径位置で記録するときよりも記録パルスのデューティ比を小さくしたりする。
【００１１】
CAV記録方式において、微少な線速度変化ごとにテスト記録を繰り返して記録条件を求めるのは、テスト記録に要する時間がかかりすぎることから見て現実的ではない。
そのため、テスト記録領域で少なくとも２つの線速度における記録パワーを求め、それ以外の線速度での記録パワーは先に求めた記録パワーからの内挿または外挿処理することで求める方法が提案されている（例えば特許文献１参照）。また、記録線速度に応じて記録パワーと消去パワーの比または各記録パルスの幅を所定の間隔で変化させる方法が開示されている（例えば特許文献２参照）。
【特許文献１】特開平5-225570公報（第３−５頁、第６図）
【特許文献２】特開2001-118245公報（第５−７頁、第１図）
【非特許文献１】ラジオ技術社「光ディスク技術」（第２２３頁）
【発明の開示】
【発明が解決しようとする課題】
【００１２】
しかしながら、上記従来の記録再生方法では、テスト記録の際にスピンドルモーターの回転速度を、実際に情報を記録再生するときの回転速度よりも高くしなければならないため、性能の高いスピンドルモーターを使わなければならず、コストが増大するという課題を有していた。以下、その課題について説明する。
【００１３】
例えば上記の特許文献１は、データ領域よりも内周側にテスト記録領域を設けて複数の線速度に対するテスト記録を行うものであるが、CAV記録方式では内周側より外周側の線速度のほうが速い。そのため外周に相当する線速度のテスト記録を内周側のテスト記録領域で行うときには、半径位置の比だけスピンドルモーターの回転速度を高くする必要がある。
【００１４】
したがって、実際の情報信号を記録する時に用いている回転速度よりも速く回転できる性能のあるスピンドルモーターを使わなければならず、結果的に記録再生装置の高コスト化を招いていた。さらに、複数の線速度でテスト記録するときには、線速度に応じてスピンドルモーターを変速しなければならず、変速に要する時間だけテスト記録時間も長くなる課題もあった。
【００１５】
また、上記従来のCAV記録方式では、ディスクに内周から外周方向へらせん状にトラックが形成されている場合に、ディスク使用初期に情報信号記録時の転送レートが遅くなるという問題もあった。これはCAV記録方式ではディスク面内の記録線密度はほぼ一定にするので、外周側の方が転送レートが高くなるためである。ユーザーは必ずディスク１枚の記録容量を使い切るとは限らないことを考慮すると、最内周から記録再生を開始するのはデータ転送レートの点で不利であった。
【００１６】
本発明は上記従来の課題を解決するもので、複数の線速度に対するテスト記録において、スピンドルモーターの低コスト化を図ることができ、同時にテスト記録に要する時間を短縮することでユーザーが短時間で情報信号の記録を開始できる光学的情報記録方法、光学的情報記録装置および光学的情報記録媒体を提供することを目的とする。
【００１７】
また本発明は上記従来の課題を解決するもので、ディスク使用当初の情報信号記録時の転送レートを高くできる光学的情報記録方法を提供することを目的とする。
【課題を解決するための手段】
【００１８】
前記目的を達成するため、本発明に係る第１の光学的情報記録方法は、
光学的情報記録媒体を回転させ、少なくとも異なる２種類の線速度で光学的情報記録媒体に情報信号を記録し、記録する線速度の変化に応じてチャネルクロック周期を変化させ、線密度を略一定として情報信号を記録し、
情報信号を記録する前にテスト記録を行う光学的情報記録方法であって、
少なくとも１種類の線速度でテスト記録を行い、
テスト記録時の光学的情報記録媒体の回転速度は、光学的情報記録媒体に情報信号を記録する時の最大回転速度以下にすることを特徴とする。
【００１９】
この方法によれば、テスト記録のときに情報を記録するときよりもスピンドルモーターの回転数を高くする必要がないので、従来と比べて低コストのモーターを用いることができ、情報記録装置を低コスト化することが可能となる。
また、本発明に係る第１の光学的情報記録方法については、
光学的情報記録媒体を等回転速度ｓ０で回転させ、記録する線速度の変化に応じてチャネルクロック周期を変化させ、線密度を略一定として情報信号を記録し、
情報信号を記録する前にテスト記録を行う光学的情報記録方法であって、
光学的情報記録媒体はデータ領域を具備し、
データ領域の最内周における線速度をｖ１、最外周における線速度をｖ２としたときに、
ｖ１≦ｖ≦ｖ２なる複数の線速度ｖでテスト記録を行い、あるいは、
ｖ１＜ｖ＜ｖ２なる少なくとも１種類の線速度ｖでテスト記録を行い、
テスト記録時の光学的情報記録媒体の回転速度ｓはｓ０以下にするものであってもよい。
【００２０】
この方法によれば、ＣＡＶ記録方式の媒体であっても、テスト記録のときに情報を記録するときよりもスピンドルモーターの回転数を高くする必要がないので、従来と比べて低コストのモーターを用いることができ、情報記録装置を低コスト化することが可能となる。
【００２１】
また、本発明に係る第１の光学的情報記録方法については、
光学的情報記録媒体を等回転速度ｓ０で回転させ、記録する線速度の変化に応じてチャネルクロック周期を変化させ、線密度を略一定として情報信号を記録し、
情報信号を記録する前にテスト記録を行う光学的情報記録方法であって、
光学的情報記録媒体はデータ領域を具備し、
光学的情報記録媒体のデータ領域を所定の数のトラックで構成される複数のゾーンに分割し、内周のゾーンから外周のゾーンになるに従って１周あたりのセクタ数を増加させ、同一ゾーン内では１周あたりの線密度を等しくし、
最内周ゾーンにおける線速度をｖ１、最外周における線速度をｖ２としたときに、
ｖ１≦ｖ≦ｖ２なる複数の線速度ｖでテスト記録を行い、あるいは、
ｖ１＜ｖ＜ｖ２なる少なくとも１種類の線速度ｖでテスト記録を行い、
テスト記録時の光学的情報記録媒体の回転速度ｓはｓ０以下にするものであってもよい。
【００２２】
この方法によれば、Ｚ−ＣＬＶフォーマットの媒体であっても、テスト記録のときに情報を記録するときよりもスピンドルモーターの回転数を高くする必要がないので、従来と比べて低コストのモーターを用いることができ、情報記録装置を低コスト化することが可能となる。
【００２３】
なお、本発明に係る第１の光学的情報記録方法については、前記テスト記録は前記データ領域の最外周近傍で行うことが、媒体のデータ領域を途中で分断しない点からより好ましい。
また前記目的を達成するため、本発明に係る第１の光学的情報記録装置は、
光学的情報記録媒体を回転させ、少なくとも異なる２種類の線速度で光学的情報記録媒体に情報信号を記録し、記録する線速度の変化に応じてチャネルクロック周期を変化させ、線密度を略一定として情報信号を記録し、
前記情報信号を記録する前にテスト記録を行う光学的情報記録装置であって、
光学的情報記録媒体の回転速度を制御する回転制御手段と、
テスト信号を光学的情報記録媒体に記録して記録条件を決定するテスト記録手段と、
情報信号を光学的情報記録媒体に記録する情報記録手段とを具備し、
テスト記録手段は、複数の、あるいは少なくとも１種類の線速度で前記テスト記録を行い、
テスト記録時に、回転制御手段は、光学的情報記録媒体の回転速度を、光学的情報記録媒体に情報信号を記録する時の最大回転速度以下にするよう制御することを特徴とする。
【００２４】
この装置によれば、テスト記録のときに情報を記録するときよりもスピンドルモーターの回転数を高くする必要がないので、従来と比べて低コストのモーターを用いることができ、情報記録装置を低コスト化することが可能となる。
また、本発明に係る第１の光学的情報記録装置については、
光学的情報記録媒体を等回転速度ｓ０で回転させ、記録する線速度の変化に応じてチャネルクロック周期を変化させ、線密度を略一定として情報信号を記録し、
情報信号を記録する前にテスト記録を行う光学的情報記録装置であって、
光学的情報記録媒体の回転速度を制御する回転制御手段と、
テスト信号を光学的情報記録媒体に記録して記録条件を決定するテスト記録手段と、
情報信号を光学的情報記録媒体に記録する情報記録手段とを具備し、
光学的情報記録媒体はデータ領域を具備し、
データ領域の最内周における線速度をｖ１、最外周における線速度をｖ２としたときに、
テスト記録手段は、ｖ１≦ｖ≦ｖ２なる複数の線速度ｖで前記テスト記録を行い、あるいは、
ｖ１＜ｖ＜ｖ２なる少なくとも１種類の線速度ｖでテスト記録を行い、
テスト記録時に、回転制御手段は、光学的情報記録媒体の回転速度ｓをｓ０以下にするものであっても良い。
【００２５】
この装置によれば、ＣＡＶ記録方式の媒体であっても、テスト記録のときに情報を記録するときよりもスピンドルモーターの回転数を高くする必要がないので、従来と比べて低コストのモーターを用いることができ、情報記録装置を低コスト化することが可能となる。
【００２６】
また、本発明に係る第１の光学的情報記録装置については、
光学的情報記録媒体を等回転速度ｓ０で回転させ、記録する線速度の変化に応じてチャネルクロック周期を変化させ、線密度を略一定として情報信号を記録し、
情報信号を記録する前にテスト記録を行う光学的情報記録方法であって、
光学的情報記録媒体はデータ領域を具備し、
光学的情報記録媒体のデータ領域を所定の数のトラックで構成される複数のゾーンに分割し、内周のゾーンから外周のゾーンになるに従って１周あたりのセクタ数を増加させ、同一ゾーン内では１周あたりの線密度を等しくし、
最内周ゾーンにおける線速度をｖ１、最外周における線速度をｖ２としたときに、
ｖ１≦ｖ≦ｖ２なる複数の線速度ｖで前記テスト記録を行い、あるいは、
ｖ１＜ｖ＜ｖ２なる少なくとも１種類の線速度ｖでテスト記録を行い、
テスト記録時の光学的情報記録媒体の回転速度ｓはｓ０以下にするものであってもよい。
【００２７】
この装置によれば、Ｚ−ＣＬＶフォーマットの媒体であっても、テスト記録のときに情報を記録するときよりもスピンドルモーターの回転数を高くする必要がないので、従来と比べて低コストのモーターを用いることができ、情報記録装置を低コスト化することが可能となる。
【００２８】
なお、本発明に係る第１の光学的情報記録装置については、テスト記録は前記データ領域の最外周近傍で行うことが、媒体のデータ領域を途中で分断しない点からより好ましい。
また前記目的を達成するため、本発明に係る第１の光学的情報記録媒体は、
光学的情報記録媒体を回転させた時に、少なくとも異なる２種類の線速度で光学的情報記録媒体に情報信号を記録し、記録する線速度の変化に応じてチャネルクロック周期を変化させ、線密度を略一定として情報信号を記録し、
情報信号を記録する前にテスト記録を行う光学的情報記録媒体であって、
複数の、あるいは、少なくとも１種類の線速度でテスト記録を行い、
テスト記録を行う領域を、テスト記録時の光学的情報記録媒体の回転速度が光学的情報記録媒体に情報信号を記録する時の最大回転速度以下になる半径位置に設けることを特徴とする。
【００２９】
この媒体によれば、テスト記録のときに情報を記録するときよりもスピンドルモーターの回転数を高くする必要がないので、従来と比べて低コストのモーターを用いることができ、情報記録装置を低コスト化することが可能となる。
また、本発明に係る第１の光学的情報記録媒体については、
光学的情報記録媒体を等回転速度ｓ０で回転させた時に、記録する線速度の変化に応じてチャネルクロック周期を変化させ、線密度を略一定として情報信号を記録し、
情報信号を記録する前にテスト記録を行う光学的情報記録媒体であって、
光学的情報記録媒体はデータ領域を具備し、
データ領域の最内周における線速度をｖ１、最外周における線速度をｖ２としたときに、
ｖ１≦ｖ≦ｖ２なる複数の線速度ｖでテスト記録を行い、あるいは、
ｖ１＜ｖ＜ｖ２なる少なくとも１種類の線速度ｖでテスト記録を行い、
テスト記録を行う領域を、テスト記録時の光学的情報記録媒体の回転速度ｓが等回転速度ｓ０以下になる半径位置に設けても良い。
【００３０】
この媒体によれば、ＣＡＶ記録方式であっても、テスト記録のときに情報を記録するときよりもスピンドルモーターの回転数を高くする必要がないので、従来と比べて低コストのモーターを用いることができ、情報記録装置を低コスト化することが可能となる。
また、本発明に係る第１の光学的情報記録媒体については、
光学的情報記録媒体を等回転速度ｓ０で回転させた時に、記録する線速度の変化に応じてチャネルクロック周期を変化させ、線密度を略一定として情報信号を記録し、
情報信号を記録する前にテスト記録を行う光学的情報記録媒体であって、
光学的情報記録媒体はデータ領域を具備し、
光学的情報記録媒体のデータ領域を所定の数のトラックで構成される複数のゾーンに分割し、内周のゾーンから外周のゾーンになるに従って１周あたりのセクタ数を増加させ、同一ゾーン内では１周あたりの線密度を等しくし、
最内周ゾーンにおける線速度をｖ１、最外周における線速度をｖ２としたときに、
ｖ１≦ｖ≦ｖ２なる複数の線速度でテスト記録を行い、あるいは、
ｖ１＜ｖ＜ｖ２なる少なくとも１種類の線速度ｖでテスト記録を行い、
テスト記録を行う領域を、テスト記録時の光学的情報記録媒体の回転速度ｓが等回転速度ｓ０以下になる半径位置に設けても良い。
【００３１】
この媒体によれば、Ｚ−ＣＬＶフォーマットであっても、テスト記録のときに情報を記録するときよりもスピンドルモーターの回転数を高くする必要がないので、従来と比べて低コストのモーターを用いることができ、情報記録装置を低コスト化することが可能となる。
【００３２】
なお、本発明に係る第１の光学的情報記録媒体については、テスト記録を行う領域を、データ領域の最外周近傍に設けることが、媒体のデータ領域を途中で分断しない点からより好ましい。
また、本発明に係る第１の光学的情報記録媒体については、線速度ｖに加えて、線速度ｖ２でテスト記録を行い、線速度ｖ２でテスト記録を行う領域を、データ領域の最外周近傍に設けることが、各線速度における記録条件の推定精度を高められる点からより好ましい。
【００３３】
前記目的を達成するため、本発明に係る第２の光学的情報記録方法は、
光学的情報記録媒体を回転させ、少なくとも異なる２種類の線速度で光学的情報記録媒体に情報信号を記録し、記録する線速度の変化に応じてチャネルクロック周期を変化させ、線密度を略一定として情報信号を記録し、
情報信号を記録する前にテスト記録を行う光学的情報記録方法であって、
情報信号を記録する最小の線速度をｖ１、最大の線速度をｖ２としたときに、
少なくともｖ１およびｖ２の線速度でテスト記録を行い、
それぞれのテスト記録時の光学的情報記録媒体の回転速度を、略等しくすることを特徴とする。
【００３４】
この方法によれば、テスト記録のときに情報を記録するときよりもスピンドルモーターの回転数を高くする必要がないので、従来と比べて低コストのモーターを用いることができ、情報記録装置を低コスト化することが可能となる。また、テスト記録時にスピンドルモーターを変速する必要がないので、テスト記録に要する時間を短縮することができる。
【００３５】
また、本発明に係る第２の光学的情報記録方法については、
光学的情報記録媒体を等回転速度ｓ０で回転させ、記録する線速度の変化に応じてチャネルクロック周期を変化させ、線密度を略一定として情報信号を記録し、
情報信号を記録する前にテスト記録を行う光学的情報記録方法であって、
光学的情報記録媒体はデータ領域を具備し、
データ領域の最内周における線速度をｖ１、最外周における線速度をｖ２としたときに、
少なくともｖ１およびｖ２の線速度でテスト記録を行い、
それぞれのテスト記録時の光学的情報記録媒体の回転速度を、ｓ０と略等しくするものであってもよい。
【００３６】
この方法によれば、ＣＡＶ記録方式の媒体であっても、テスト記録のときに情報を記録するときよりもスピンドルモーターの回転数を高くする必要がないので、従来と比べて低コストのモーターを用いることができ、情報記録装置を低コスト化することが可能となる。また、テスト記録時にスピンドルモーターを変速する必要がないので、テスト記録に要する時間を短縮することができる。
【００３７】
また、本発明に係る第２の光学的情報記録方法については、
光学的情報記録媒体を等回転速度ｓ０で回転させ、記録する線速度の変化に応じてチャネルクロック周期を変化させ、線密度を略一定として情報信号を記録し、
情報信号を記録する前にテスト記録を行う光学的情報記録方法であって、
光学的情報記録媒体はデータ領域を具備し、
光学的情報記録媒体のデータ領域を所定の数のトラックで構成される複数のゾーンに分割し、内周のゾーンから外周のゾーンになるに従って１周あたりのセクタ数を増加させ、同一ゾーン内では１周あたりの線密度を等しくし、
最内周ゾーンにおける線速度をｖ１、最外周における線速度をｖ２としたときに、
少なくともｖ１およびｖ２の線速度でテスト記録を行い、
それぞれのテスト記録時の光学的情報記録媒体の回転速度を、ｓ０と略等しくするものであっても良い。
【００３８】
この方法によれば、Ｚ−ＣＬＶフォーマットの媒体であっても、テスト記録のときに情報を記録するときよりもスピンドルモーターの回転数を高くする必要がないので、従来と比べて低コストのモーターを用いることができ、情報記録装置を低コスト化することが可能となる。また、テスト記録時にスピンドルモーターを変速する必要がないので、テスト記録に要する時間を短縮することができる。
【００３９】
前記目的を達成するため、本発明に係る第２の光学的情報記録装置は、光学的情報記録媒体を回転させ、少なくとも異なる２種類の線速度で光学的情報記録媒体に情報信号を記録し、記録する線速度の変化に応じてチャネルクロック周期を変化させ、線密度を略一定として情報信号を記録し、
情報信号を記録する前にテスト記録を行う光学的情報記録装置であって、
光学的情報記録媒体の回転速度を制御する回転制御手段と、
テスト信号を光学的情報記録媒体に記録して記録条件を決定するテスト記録手段と、
情報信号を光学的情報記録媒体に記録する情報記録手段とを具備し、
情報信号を記録する最小の線速度をｖ１、最大の線速度をｖ２としたときに、
テスト記録手段は少なくともｖ１およびｖ２の線速度でテスト記録を行い、
回転制御手段は、それぞれのテスト記録時の光学的情報記録媒体の回転速度を、略等しくすることを特徴とする。
【００４０】
この装置によれば、テスト記録のときに情報を記録するときよりもスピンドルモーターの回転数を高くする必要がないので、従来と比べて低コストのモーターを用いることができ、情報記録装置を低コスト化することが可能となる。また、テスト記録時にスピンドルモーターを変速する必要がないので、テスト記録に要する時間を短縮することができる。
【００４１】
また、本発明に係る第２の光学的情報記録装置については、光学的情報記録媒体を等回転速度ｓ０で回転させ、記録する線速度の変化に応じてチャネルクロック周期を変化させ、線密度を略一定として情報信号を記録し、
情報信号を記録する前にテスト記録を行う光学的情報記録方法であって、
光学的情報記録媒体の回転速度を制御する回転制御手段と、
テスト信号を光学的情報記録媒体に記録して記録条件を決定するテスト記録手段と、
情報信号を光学的情報記録媒体に記録する情報記録手段とを具備し、
光学的情報記録媒体はデータ領域を具備し、
データ領域の最内周における線速度をｖ１、最外周における線速度をｖ２としたときに、
テスト記録手段は少なくともｖ１およびｖ２の線速度でテスト記録を行い、
回転制御手段は、それぞれのテスト記録時の光学的情報記録媒体の回転速度を、ｓ０と略等しくするものであっても良い。
【００４２】
この装置によれば、ＣＡＶ記録方式の媒体であっても、テスト記録のときに情報を記録するときよりもスピンドルモーターの回転数を高くする必要がないので、従来と比べて低コストのモーターを用いることができ、情報記録装置を低コスト化することが可能となる。また、テスト記録時にスピンドルモーターを変速する必要がないので、テスト記録に要する時間を短縮することができる。
【００４３】
また、本発明に係る第２の光学的情報記録装置については、光学的情報記録媒体を等回転速度ｓ０で回転させ、記録する線速度の変化に応じてチャネルクロック周期を変化させ、線密度を略一定として情報信号を記録し、
情報信号を記録する前にテスト記録を行う光学的情報記録方法であって、
光学的情報記録媒体の回転速度を制御する回転制御手段と、
テスト信号を光学的情報記録媒体に記録して記録条件を決定するテスト記録手段と、
情報信号を光学的情報記録媒体に記録する情報記録手段とを具備し、
光学的情報記録媒体はデータ領域を具備し、
光学的情報記録媒体のデータ領域を所定の数のトラックで構成される複数のゾーンに分割し、内周のゾーンから外周のゾーンになるに従って１周あたりのセクタ数を増加させ、同一ゾーン内では１周あたりの線密度を等しくし、
最内周ゾーンにおける線速度をｖ１、最外周における線速度をｖ２としたときに、
テスト記録手段は少なくともｖ１およびｖ２の線速度でテスト記録を行い、
回転制御手段は、それぞれのテスト記録時の光学的情報記録媒体の回転速度を、ｓ０と略等しくするものであっても良い。
【００４４】
この装置によれば、Ｚ−ＣＬＶフォーマットの媒体であっても、テスト記録のときに情報を記録するときよりもスピンドルモーターの回転数を高くする必要がないので、従来と比べて低コストのモーターを用いることができ、情報記録装置を低コスト化することが可能となる。また、テスト記録時にスピンドルモーターを変速する必要がないので、テスト記録に要する時間を短縮することができる。
【００４５】
前記目的を達成するため、本発明に係る第２の光学的情報記録媒体は、
光学的情報記録媒体を回転させた時に、少なくとも異なる２種類の線速度で光学的情報記録媒体に情報信号を記録し、記録する線速度の変化に応じてチャネルクロック周期を変化させ、線密度を略一定として情報信号を記録し、
情報信号を記録する前にテスト記録を行う光学的情報記録媒体であって、
情報信号を記録する最小の線速度をｖ１、最大の線速度をｖ２としたときに、
少なくともｖ１およびｖ２の線速度でテスト記録を行い、
それぞれのテスト記録を行う領域を、光学的情報記録媒体の回転速度が略等しくなる半径位置に設けることを特徴とする。
【００４６】
この媒体によれば、テスト記録のときに情報を記録するときよりもスピンドルモーターの回転数を高くする必要がないので、従来と比べて低コストのモーターを用いることができ、情報記録装置を低コスト化することが可能となる。また、テスト記録時にスピンドルモーターを変速する必要がないので、テスト記録に要する時間を短縮することができる。
【００４７】
また、本発明に係る第２の光学的情報記録媒体については、
光学的情報記録媒体を等回転速度ｓ０で回転させた時に、記録する線速度の変化に応じてチャネルクロック周期を変化させ、線密度を略一定として情報信号を記録し、
情報信号を記録する前にテスト記録を行う光学的情報記録媒体であって、
光学的情報記録媒体はデータ領域を具備し、
データ領域の最内周における線速度をｖ１、最外周における線速度をｖ２としたときに、
少なくともｖ１およびｖ２の線速度でテスト記録を行い、
それぞれのテスト記録を行う領域を、テスト記録時の光学的情報記録媒体の回転速度がｓ０と略等しくなる半径位置に設けるものであっても良い。
【００４８】
この媒体によれば、ＣＡＶ記録方式の媒体であっても、テスト記録のときに情報を記録するときよりもスピンドルモーターの回転数を高くする必要がないので、従来と比べて低コストのモーターを用いることができ、情報記録装置を低コスト化することが可能となる。また、テスト記録時にスピンドルモーターを変速する必要がないので、テスト記録に要する時間を短縮することができる。
【００４９】
また、本発明に係る第２の光学的情報記録媒体については、
光学的情報記録媒体を等回転速度ｓ０で回転させた時に、記録する線速度の変化に応じてチャネルクロック周期を変化させ、線密度を略一定として情報信号を記録し、
情報信号を記録する前にテスト記録を行う光学的情報記録媒体であって、
光学的情報記録媒体はデータ領域を具備し、
光学的情報記録媒体のデータ領域を所定の数のトラックで構成される複数のゾーンに分割し、内周のゾーンから外周のゾーンになるに従って１周あたりのセクタ数を増加させ、同一ゾーン内では１周あたりの線密度を等しくし、
最内周ゾーンにおける線速度をｖ１、最外周における線速度をｖ２としたときに、
少なくともｖ１およびｖ２の線速度でテスト記録を行い、
それぞれのテスト記録を行う領域を、テスト記録時の光学的情報記録媒体の回転速度がｓ０と略等しくなる半径位置に設けるものであっても良い。
【００５０】
この媒体によれば、Ｚ−ＣＬＶフォーマットの媒体であっても、テスト記録のときに情報を記録するときよりもスピンドルモーターの回転数を高くする必要がないので、従来と比べて低コストのモーターを用いることができ、情報記録装置を低コスト化することが可能となる。また、テスト記録時にスピンドルモーターを変速する必要がないので、テスト記録に要する時間を短縮することができる。
【００５１】
なお、本発明に係る第１および第２の光学的情報記録方法については、
テスト記録で決定する記録条件を、情報信号を記録する時のレーザパワーおよび／または記録パルス波形とすることがより好ましい。これは、最適な発光パワーレベルや記録パルスの波形は線速度に応じて敏感に変化するからである。
【００５２】
また、本発明に係る第１および第２の光学的情報記録媒体については、
等線速度でも情報信号を記録することが、等線速度で記録する装置と等回転速度で記録する装置の両方で記録可能な媒体となることからより好ましい。
前記目的を達成するため、本発明に係る第３の光学的情報記録方法は、
光学的情報記録媒体を等回転速度ｓ０で回転させ、記録する線速度の変化に応じてチャネルクロック周期を変化させ、線密度を略一定として情報信号を記録する光学的情報記録方法であって、
光学的情報記録媒体はらせん状のトラックを有し、
光学的情報記録媒体を所定の回転方向で回転させると内周から外周方向へレーザスポットが移動する場合に、
光学的情報記録媒体への情報信号の記録は外周から内周方向に行うことを特徴とする。
【００５３】
この方法によれば、ディスク使用開始当初から高いデータ転送レートで情報を記録できる効果が得られる。
前記目的を達成するため、本発明に係る第４の光学的情報記録方法は、
光学的情報記録媒体を等回転速度ｓ０で回転させ、記録する線速度の変化に応じてチャネルクロック周期を変化させ、線密度を略一定として情報信号を記録し、
情報信号を記録する前にテスト記録を行う光学的情報記録方法であって、
光学的情報記録媒体はデータ領域を具備し、
光学的情報記録媒体のデータ領域を所定の数のトラックで構成される複数のゾーンに分割し、内周のゾーンから外周のゾーンになるに従って１周あたりのセクタ数を増加させ、同一ゾーン内では１周あたりの線密度を等しくし、
光学的情報記録媒体はらせん状のトラックを有し、
光学的情報記録媒体を所定の回転方向で回転させると内周から外周方向へレーザスポットが移動する場合に、
光学的情報記録媒体への情報信号の記録は外周ゾーンから内周ゾーンの方向へ行うことを特徴とする。
【００５４】
この方法によれば、Ｚ−ＣＬＶフォーマットの媒体であっても、ディスク使用開始当初から高いデータ転送レートで情報を記録できる効果が得られる。
また、本発明に係る第３または第４の光学的情報記録方法については、ゾーン内では内周から外周方向へ記録することがより好ましい。
【００５５】
また、本発明に係る第４の光学的情報記録方法については、ゾーン内では内周から外周方向へ記録することが、情報信号を記録するときのトラックジャンプの回数を減らすことができる点からより好ましい。
また、本発明に係る第３または第４の光学的情報記録方法については、記録時に光学的情報記録媒体が１回転するごとに１回、外周から内周方向へトラックジャンプすることが、外周から内周への情報記録を容易に行うことができる点からより好ましい。
【発明の効果】
【００５６】
以上に述べたように、本発明の光学的情報記録方法によれば、テスト記録のときに情報を記録するときよりもスピンドルモーターの回転数を高くする必要がないので、従来と比べて低コストのモーターを用いることができ、情報記録装置を低コスト化することが可能となる。また、テスト記録時に変速に要する時間をなくすことができ、テスト記録全体に要する時間を短縮することができる。
【００５７】
また、本発明の光学的情報記録方法によれば、CAV記録方式で内周から外周へらせん状のトラックを有する媒体に外周側から記録することで、ディスク使用開始当初から高いデータ転送レートで情報を記録できる効果を得ることができる。
【発明を実施するための最良の形態】
【００５８】
以下、実施の形態を用いて本発明をさらに具体的に説明する。
＜実施の形態１の構成＞
まず、本発明の第１の実施形態における光学的情報記録再生方法において、テスト記録する場合の構成を図１〜図２を用いて説明する。
【００５９】
本実施形態では、ＣＡＶ記録方式のディスクを最低線速度ｖ１、最高線速度ｖ２、中間線速度ｖ（ここではｖ＝（ｖ１＋ｖ２）／２とする）の３点でテスト記録する場合について述べる。
図１は本発明の実施形態の情報記録装置の概略構成を示すブロック図である。
【００６０】
１はデータを記録再生する光ディスクで、２は記録再生装置全体を制御するシステム制御回路である。３は記録するデータに応じて２値化された記録データ信号を発生させる変調回路で、４は記録データ信号に応じてレーザを駆動するパルスを発生させる記録パルス生成回路である。５は記録パルス生成回路が出力するパルスに応じて、光ヘッド６内のレーザを駆動させる電流を変調するレーザ駆動回路である。６は光ヘッドであり、レーザ光を集束して光ディスク１に照射する。７は光ディスクの線速度（すなわち、回転数）を制御する線速度設定回路、８は光ディスク１を回転させるスピンドルモーターである。９は光ディスク１からの反射光に基づく再生信号の波形処理を行なう再生信号処理回路であり、１０は再生データを得るための復調回路である。１１はテスト記録時にテストパターン信号を発するテストパターン生成回路である。
【００６１】
図２は本発明の実施形態の光ディスクの構成（すなわち、フォーマット）を示す図である。このディスクは最内周（半径ｒ１）、中周（半径ｒ３）、最外周（半径ｒ２）にそれぞれテスト記録領域２２、２４、２３を有し、各テスト記録領域の間にデータ領域２１を備えている。
＜実施の形態１の動作＞
次に図１、図２および図３を用いて、本実施形態の記録再生装置の動作について説明する。
【００６２】
図３は本実施形態の動作を示すフローチャートである。
記録時には、まず、回転速度設定工程ステップ３０１（以下、Ｓ３０１のように略記する）により、システム制御回路２の命令に基づいて回転速度設定回路７がスピンドルモーター８の回転数を制御し、光ディスク１を情報記録時の回転速度ｓ０で回転させる。シーク動作工程Ｓ３０２により、光ヘッド６が光ディスク１上の最内周テスト記録領域２２にシークする。このときの線速度は、情報記録時の最低線速度ｖ１となる。テスト記録領域２２は、最低速度ｖ１でテスト記録する際の光ディスク１の回転速度が情報記録時の回転速度ｓ０と等しくなるような半径位置に設けられている。
【００６３】
テスト記録工程Ｓ３０３により、システム制御回路２が、この線速度で最適な記録条件を決定する。この工程では、システム制御回路２は記録時のチャネルクロック周期を線速度に反比例するように設定する（すなわち、この場合は最低線速度であるため、チャネルクロック周期が最長となるよう設定する）。テストパターン生成回路１１からテストパターン信号を記録パルス生成回路４に送り、レーザ駆動回路５で光ヘッド６を駆動して光ディスク１に記録する。記録したテストパターンを光ヘッド６で再生して再生信号を得、再生信号処理回路９、復調回路１０を経て再生データとし、システム制御回路２で再生データの品質を評価する。
【００６４】
記録条件決定工程Ｓ３０４により、システム制御回路２は再生データの品質が最高となるように記録条件を決定する。
この記録条件決定工程Ｓ３０４で決定する記録条件としては、記録パワーや消去パワーといった記録時のレーザの発光パワーレベルや、記録パルスの波形であることがより好ましい。これは、最適な発光パワーレベルや記録パルスの波形は線速度に応じて敏感に変化するからである。
【００６５】
次にシーク動作工程Ｓ３０５により、光ヘッド６が光ディスク１上の中周テスト記録領域２４にシークする。テスト記録工程Ｓ３０６、記録条件決定工程Ｓ３０７により、Ｓ３０３・Ｓ３０４と同様にテスト記録して線速度ｖでの記録条件を決定する。
ここで本発明のポイントとなることは、線速度ｖでテスト記録する際の光ディスク１の回転速度が、情報記録時の回転速度ｓ０以下となるような半径位置にテスト記録領域２４を設けることである。
【００６６】
すなわち本実施形態ではｖ＝（ｖ１＋ｖ２）／２としているので、テスト記録領域２４は、ｒ３≧（ｒ１＋ｒ２）となる半径位置ｒ３に設ける。そうすれば線速度ｖでのテスト記録時の回転速度はｓ０を上回ることはなくなるので、スピンドルモーター８の回転速度を高くする必要がなくなる。これにより、スピンドルモーターに要求される最大回転速度はテスト記録時であってもｓ０以下となる。従来はテスト記録時に回転速度をｓ０以上に高くさせることが必要だったので、情報記録時の回転速度よりも高速で回転するスピンドルモーターが要求されたのに対して、本実施形態では従来よりも低コストのスピンドルモーターを用いることができる。その結果として情報記録装置を低コスト化することが可能となる。
【００６７】
また、線速度ｖでテスト記録する際の光ディスク１の回転速度が、情報記録時の回転速度ｓ０と等しくなるような半径位置にテスト記録領域２４を設けることがより好ましい。
すなわち、テスト記録領域２４をｒ３＝（ｒ１＋ｒ２）となる半径位置ｒ３に設ける。そうすれば線速度ｖでのテスト記録時の回転速度は、先にテスト記録領域２２で線速度ｖ１に対してテスト記録した時の回転速度と等しくなる。その結果、線速度ｖでテスト記録する前（すなわちＳ３０６の前）にスピンドルモーター８をｓ０から減速し、線速度ｖでの記録条件の決定後（すなわちＳ３０７の後）にスピンドルモーター８をｓ０まで加速する必要がなくなる。したがって、変速に要する時間をなくすことができ、テスト記録全体に要する時間を短縮することが可能となる。
【００６８】
Ｓ３０７にて線速度ｖでの記録条件を決定した後、シーク動作工程Ｓ３０８により、光ヘッド６が光ディスク１上の最外周テスト記録領域２３にシークする。このときの線速度は、情報記録時の最高線速度ｖ２となる。
テスト記録工程Ｓ３０９、記録条件決定工程Ｓ３１０により、Ｓ３０３・Ｓ３０４と同様にテスト記録して線速度ｖ２での記録条件を決定して、テスト記録を終了する。テスト記録終了後は、実際の情報信号を光ディスク１に記録することになる。
【００６９】
ここでポイントとなることは、最大線速度ｖ２でテスト記録する際の光ディスク１の回転速度が、情報記録時の回転速度ｓ０と等しくなるような半径位置にテスト記録領域２３を設けることである。すなわち、ＣＡＶ記録方式において最大線速度ｖ２で記録するのは光ディスクの最外周であるが、テスト記録領域２３も最外周近傍に設けることで、回転速度をｓ０より速くする必要がなくなる。したがって線速度ｖでのテスト記録の場合と同様に、従来と比べて低コストのモーターを用いることができ、情報記録装置を低コスト化することが可能となる。同時に、テスト記録時に変速に要する時間をなくすことができ、テスト記録全体に要する時間を短縮することができる。
【００７０】
以上述べたように本実施形態によれば、ＣＡＶ記録方式の媒体において中間線速度のテスト記録領域を、情報記録時の媒体の回転速度以下となる半径位置に設けている。さらに、最低線速度および最高線速度のテスト記録領域を、情報記録時の媒体の回転速度と同等となる半径位置に設けてテスト記録している。以上より、従来と比べて低コストのモーターを用いることができ、情報記録装置を低コスト化することが可能となる。同時に、テスト記録時に変速に要する時間をなくすことができ、テスト記録全体に要する時間を短縮することができる。
＜実施の形態１の別の形態１＞
上記の実施形態では、中間線速度ｖでのテスト記録領域２４をデータ領域２１の中間に設けたが、媒体のフォーマットによってはデータ領域を途中で分断できない場合もある。その場合は光ディスクの構成を図４のようにすることが好ましい。図４の構成で上記の実施形態（図２）と異なるのは、中間線速度ｖ２でのテスト記録領域４１を最外周近傍（すなわち半径ｒ４）に配置していることである。
【００７１】
図４の構成を用いた場合の実施形態の動作を示すフローチャートを、図５に示す。図５の動作で上記の実施形態における動作と異なる点は、中間線速度ｖでのテスト記録（Ｓ５０７）前に回転速度設定工程Ｓ５０６によりスピンドルモーター８をｓ０から減速し、記録条件決定（Ｓ５０８）後に回転速度設定工程Ｓ５０９によりｓ０まで加速する（Ｓ５０９）ことである。
【００７２】
この形態では中間線速度ｖでのテスト記録時にスピンドルモーター８の変速動作が入るが、光ディスク１のデータ領域がテスト領域で分断されない利点を有する。また、スピンドルモーターをｓ０より速く回転させる必要がなく、情報記録装置を低コスト化できる効果を有しているのは上記の実施形態と同様である。
【００７３】
なお、この形態では中間線速度ｖでのテスト記録領域４１と最高線速度でのテスト記録領域２３を別の領域としたが、図６の光ディスクの構成に示すように、最高線速度でのテスト記録領域２３は、中間線速度のテスト記録領域を兼ねるものであってもかまわない。
＜実施の形態１の別の形態２＞
上記の実施形態では、ディスクの線密度を媒体全面にわたって一定とするためにチャネルクロック周期を線速度の増大に反比例させて小さくするCAV記録方式の場合について説明した。この他にも、Z-CLVフォーマットのディスクをCAV記録する形態のものであっても良い。それを図７を用いて以下に説明する。
【００７４】
図７は、Z-CLVフォーマットのディスクにCAV記録方式で記録する時の、ディスク半径方向に対する各種設定の変化について示すものである。この実施形態では、データ領域を８つのゾーンに分けた場合について説明する。
図７（ａ）はZ-CLVフォーマットのディスクでの１トラック当たりのセクタ数を示すもので、外周側に行くほどセクタ数が増加する。図７（ｂ）はディスクの回転速度を示すもので、内外周にわたって一定の回転速度となるように設定する。図７（ｃ）はディスクの線速度を示すもので、外周ほど線速度が速くなるのは上記の実施形態と同様である。図７（ｄ）は情報記録時のチャネルクロック周期を示すもので、ゾーンごとのチャネルクロック周期は一定とし、外周側に行くに従って、段階的に周期を小さくする。このようにすれば、Z-CLV記録方式で記録したときと同じ線密度で、CAV記録方式を用いて記録することができる。
【００７５】
このようなZ-CLVフォーマットのディスクにCAV記録するときのテスト記録についても上記の実施形態と同様であり、中間線速度のゾーン（例えばゾーン４または５）のテスト記録領域を、情報記録時の媒体の回転速度以下となる半径位置に設け、最低線速度のゾーン（ゾーン１）および最高線速度のゾーン（ゾーン８）のテスト記録領域を、情報記録時の媒体の回転速度と同等となる半径位置に設けてテスト記録することにより、従来と比べて低コストのモーターを用いることができ、情報記録装置を低コスト化することが可能となる。同時に、テスト記録時に変速に要する時間をなくすことができ、テスト記録全体に要する時間を短縮することができる。
【００７６】
なお、上記第１の実施形態では最低線速度、最高線速度、中間線速度の３種類でテスト記録するものとしたが、上記の線速度のうち２種類でテスト記録してそれ以外の線速度の記録条件は内挿または外挿で求めるものであってもよい。あるいは上記の線速度のうち１種類でテスト記録してそれ以外の記録条件を推定して求めるものであってもよい。
＜実施の形態２の構成・動作＞
次に、本発明の第２の実施形態の構成および動作について説明する。
【００７７】
図８は本実施形態において、光ディスクへの記録再生時にトラック上をレーザスポットが移動する方向を示したものである。８０１はトラックである。８０２はレーザスポットで矢印はスポットの移動方向を示している。８０３はトラックジャンプの方向を示している。
【００７８】
内周から外周方向にらせん状にトラックが形成されている光ディスクの場合、従来はディスクの最内周から使用開始され、外周方向に記録されていた。
しかしＣＡＶ記録方式の場合には最内周が最もデータ転送レートが低く（すなわちチャネルクロック周期が長く）なるので、ディスクの使用開始当初は最も記録速度が遅くなる。逆にディスク全面にわたって記録し、最外周付近を記録再生しているときが最も記録速度が速くなることになる。
【００７９】
そこで、本発明では、図８に示すような方法でディスクに記録する。ディスク使用開始時は最外周のトラック８０１から記録を始める。１回転に１回だけ、レーザスポット８０２を内周側に２トラック分ジャンプして（８０３の矢印がトラックジャンプを示す）記録再生を続けることにより、外周から内周方向にディスクを使用することができる。これにより、ディスク使用開始当初から高いデータ転送レートで情報を記録できる効果が得られる。
【００８０】
また、Z-CLVフォーマットで内周から外周方向にらせん状にトラックが形成されているディスクをCAV記録するときでも同様の効果を得ることができる。図９は、データ領域が８ゾーンに分けられた、Z-CLVフォーマットディスクにおける記録動作を説明する図である。この場合、ディスクの使用当初はゾーン８の最内周側から記録を開始する。ゾーン８の最外周側まで記録した後、ゾーン間ジャンプ９０１により、ゾーン７の最内周側にレーザスポットをシークして、記録を再開する。ゾーン７の最外周側まで記録した後は、再びゾーン間ジャンプ９０１により、ゾーン６の最内周側にレーザスポットを移動する。このようにして内周方向へ記録していくことで、ディスク使用開始当初から高いデータ転送レートで情報を記録できることになる。
【００８１】
以上述べたように本実施形態では、CAV記録方式を用いて内周から外周へらせん状のトラックを有する媒体に外周側から記録することで、ディスク使用開始当初から高いデータ転送レートで情報を記録できる効果が得られる。
なお、本発明の第２の実施形態において、トラックはガイド溝であってもよいし、ガイド溝の間にあるランドであってもよいし、ガイド溝とランドを交互にトレースするものであっても良い。
【００８２】
また、上記の各実施形態におけるゾーンフォーマットや、データ領域・テスト記録領域の範囲等は上述の各実施形態で示したものに限るわけではなく、記録条件や媒体に応じて適切なものを設定することが可能である。
また、上記の光ディスクは相変化材料、光磁気材料や色素材料等、熱的または光学的にディスクの記録膜に作用して、光学的特性の異なる状態を記録マークとして作り出せる媒体であればいずれも上記の方法を適用することができる。
【実施例】
【００８３】
本発明の第１の実施の形態について、より具体的な実施例を説明する。
光ディスク１の基板には、直径１２０ｍｍ、厚さ０．６ ｍｍのポリカーボネート樹脂を用いた。この基板には、凸凹形状の位相ピットをあらかじめコントロールトラック領域としてプリフォーマットした。
【００８４】
コントロールトラック領域には、ディスクが対応している記録線速度を表す情報を識別子として記録した。本実施例では、このディスクは線速度８．２ｍ／ｓから線速度２０．５ｍ／ｓの範囲の記録に対応するものとした。
樹脂基板のデータ領域内には記録用ガイド溝を形成した。ガイド溝のピッチは１．４μｍである。なお、データ領域内にセクタを設ける構造として、セクタとセクタの間にアドレス情報を表す位相ピットを形成する形態としてもかまわない。
【００８５】
基板上に保護膜、記録膜、保護膜、反射膜をスパッタリング法により４層成膜し、その上に保護基板を接着した。保護膜としてＺｎＳ−ＳｉＯ２、記録膜としてＧｅＳｂＴｅ、反射膜としてＡｌを用いた。
データ領域の半径位置は２３．２ｍｍから５８．０ｍｍの範囲とし、テスト記録領域はデータ領域の内周側と外周側の２カ所に設けた。すなわち、テスト記録領域の半径位置は２３．１ｍｍから２３．２ｍｍの範囲、および５８．０ｍｍから５８．１ｍｍの範囲とした。
【００８６】
このディスクを一定回転数３３７５ｒｐｍ（すなわち等回転速度）で回転させると、データ領域の最内周（すなわち半径２３．２ｍｍ）では線速度８．２ｍ／ｓで、最外周（すなわち半径５８．０ｍｍ）では線速度２０．５ｍ／ｓで記録再生することになる。
内周から外周にわたっての線速度の変化に対応してチャネルクロック周期を変化させることにより、線密度を一定にして記録するのがＣＡＶ記録方式である。本実施例では情報の変調方式は（８−１６）パルス幅変調とし、最短マーク長が０．４０μｍとなるようにチャネルクロック周期を設定した。
【００８７】
このディスクに対して、最小線速度の８．２ｍ／ｓ、中間線速度である１２．３ｍ／ｓ、最大線速度の２０．５ｍ／ｓの３点でテスト記録を実施した。
本実施例の記録方法・媒体では、最内周と最外周の両方にテスト記録領域を設けているので最小線速度は最内周で、中間線速度と最大線速度は最外周でテスト記録を実施することにすれば、各線速度でのテスト記録時の回転数は以下のようになる。
【００８８】
最小線速度（８．２／（２×π×０．０２３１））×６０＝３３８９ｒｐｍ
中間線速度（１２．３／（２×π×０．０５８０））×６０＝２０２５ｒｐｍ
最大線速度（２０．５／（２×π×０．０５８０））×６０＝３３７５ｒｐｍ
このように、スピンドルモーターに要求される最大の回転数は３３８９ｒｐｍとなる。
【００８９】
一方、従来の記録方法・媒体では、最内周に存在するテスト記録領域で中間線速度、最大線速度のテスト記録も実施する必要がある。そのため、各線速度でのテスト記録時の回転数は以下のようになる。
最小線速度（８．２／（２×π×０．０２３１））×６０＝３３８９ｒｐｍ
中間線速度（１２．３／（２×π×０．０２３１））×６０＝５０８５ｒｐｍ
最大線速度（２０．５／（２×π×０．０２３１））×６０＝８４７４ｒｐｍ
このように、スピンドルモーターに要求される最大の回転数は８４７４ｒｐｍである。
【００９０】
したがって、本実施例ではスピンドルモーターに要求される最大回転数が従来の約４０％で済むので、従来と比べて低コストで構造の簡単なスピンドルモーターを記録装置に用いることが可能となる。
なお本実施例において、データ領域を分断しても良い場合には中間線速度用のテスト記録領域を３４．８ｍｍから３４．９ｍｍの範囲に設ければ、中間線速度でのテスト記録時の回転数は、
（１２．３／（２×π×０．０３４８））×６０＝３３７５ｒｐｍ
となり、最小線速度および最大線速度でのテスト記録時の回転数とほぼ同等になる。従ってスピンドルモーターの変速動作に要する時間をほぼゼロにすることができ、テスト記録に要する時間を短縮することができる。
【産業上の利用可能性】
【００９１】
本発明の光学的情報記録方法、光学的情報記録装置および光学的情報記録媒体は、パーソナルコンピュータ、サーバー、レコーダーにも適用可能であり、上述と同様の効果を得ることができる。
【図面の簡単な説明】
【００９２】
【図１】本発明の実施形態に係る記録再生装置の構成を示すブロック図
【図２】本発明の実施形態１に係る光ディスクの構成を示すフォーマット図
【図３】実施形態１に係る記録再生装置の動作を説明するフローチャート
【図４】実施形態１の別の実施形態において、光ディスクの構成を示すフォーマット図
【図５】実施形態１の別の実施形態において、記録再生装置の動作を説明するフローチャート
【図６】実施形態１の別の実施形態において、光ディスクの構成を示すフォーマット図
【図７】実施形態１の別の実施形態において、Z-CLVフォーマットのディスクをCAV方式で記録するときの設定を説明する図
【図８】本発明の実施形態２に係る、トラック上のレーザスポットの移動方向を説明する模式図
【図９】本発明の実施形態２の別の実施形態に係る、ディスク上の記録方向を説明する図
【符号の説明】
【００９３】
１  光ディスク
２  システム制御回路
３  変調回路
４  記録パルス生成回路
５  レーザ駆動回路
６  光ヘッド
７  線速度設定回路
８  スピンドルモーター
９  再生信号処理回路
１０  復調回路
１１  テストパターン生成回路
２１  データ領域
２２、２３、２４、４１  テスト領域
８０１  トラック
８０２  レーザスポット
８０３  トラックジャンプ
９０１  ゾーン間ジャンプ
【手続補正３】
【補正対象書類名】図面
【補正対象項目名】図１
【補正方法】変更
【補正の内容】
【図１】
2005100534.tif 000012